(57)【要約】【課題】人体に悪影響を与える可能性のある画像に対して、映像処置を行い人体に与える影響を、削減あるいは無効化することを目的とする。【解決手段】この発明にかかる画像表示装置は、受信した映像信号Ｄｂに含まれる所定の映像情報からフレームごとの映像特徴を検出し、映像特徴信号Ｐｓを出力する映像特徴検出部７と、映像特徴信号Ｐｓが所定時間内に一定回数以上変化した場合、制御信号としての制御値Ｃｒを出力する映像変化検出部９と、制御値Ｃｒを解析しその解析結果に応じて、映像信号Ｄｂに所定の処置を行う映像信号対策部６とを備える。【選択図】図１
2010141548.tif 000002
【特許請求の範囲】
【請求項１】
受信した映像信号に含まれる所定の映像情報からフレームごとの映像特徴を検出し、映像特徴信号を出力する映像特徴検出部と、
前記映像特徴信号が所定時間内に一定回数以上変化した場合、制御信号を出力する映像変化検出部と、
前記制御信号を解析しその解析結果に応じて、前記映像信号に所定の処置を行う映像信号対策部と、
を備える、画像表示装置。
【請求項２】
前記所定の処置は、前記映像信号に含まれる人体に悪影響を及ぼす要因を抑制する処置である、
請求項１に記載の画像表示装置。
【請求項３】
前記所定の映像情報は、輝度情報、色相情報、彩度情報のいずれか複数個を含む、
請求項１または２に記載の画像表示装置。
【請求項４】
前記映像特徴検出部は、前記映像信号を複数の領域に分割し、前記分割した領域の映像情報から映像特徴を検出し、前記分割した領域ごとに領域分割特徴信号を出力し、
前記映像変化検出部は、前記領域分割特徴信号が所定時間内に一定回数以上変化した場合、前記領域分割特徴信号ごとに制御信号を出力し、
前記映像信号対策部は、前記分割した領域ごとに、前記制御信号を解析する、
請求項１〜３のいずれかに記載の画像表示装置。
【請求項５】
前記映像信号対策部は、前記分割した領域ごとに、前記制御信号の解析結果に応じて映像信号に所定の処置を行う、
請求項４に記載の画像表示装置。
【請求項６】
前記映像変化検出部は、前記映像特徴信号が、予め定められた特定の映像特徴から予め定められた別の特定の映像特徴へと変化した場合に、前記制御信号を出力する、
請求項１〜５のいずれかに記載の画像表示装置。
【請求項７】
前記映像特徴検出部は、前記１フレーム分の前記映像信号の替わりに、複数フレーム分の前記映像信号から、映像特徴を検出する、
請求項１〜６のいずれかに記載の画像表示装置。
【請求項８】
前記映像信号対策部は、前記制御信号の異なる解析結果に応じて、予め定められた異なる処置を前記所定の処置として適用する、
請求項１〜７のいずれかに記載の画像表示装置。
【発明の詳細な説明】
【技術分野】
【０００１】
本発明は、画像表示装置に関し、特に人体に悪影響を及ぼす映像を検出して処置を行うテレビジョン受像機等の画像表示装置に関する。
【背景技術】
【０００２】
テレビジョン受像機等の画像表示装置を視聴中、表示された映像の影響を受け、発作や目眩、映像酔い等、体調不調を起こすケースがしばしば起こる。これら人体に悪影響、強いストレスを与える映像を、以下、危険映像と呼ぶ。
【０００３】
このような事件を防止すべく、放送局側でも放送波のチェックを行っているが、完全に防止することは難しく、すでに発売されたビデオテープやＤＶＤ等、あるいは近年よく見られる、インターネット上の投稿動画などの影響により、同様の事件が後を絶たない。とりわけ投稿動画は、投稿者・制作者により映像表現が自由に行われており、配信も容易に行えることから、危険映像が存在した場合の対策が重要である。
【０００４】
危険映像は、放送波やＤＶＤ等のみに限らず、ゲーム等のエンターテイメントにも含まれることがある。そのため、放送局側やコンテンツ制作側のチェックのみならず、画像表示装置においても、これらを検出し防止する機能が必要である。
【０００５】
前述した機能を実現する従来の技術として例えば特許文献１に開示されている映像信号処理装置がある。特許文献１に記載の映像信号処理装置では、映像信号を所定の面積からなる小領域に分割し、各分割領域に存在する画素において輝度信号・色差信号のうちいずれかひとつ以上の平均値の変化を所定時間観察し、所定の数以上の領域の変化が一定時間以上継続する映像を、人体に悪影響を及ぼす危険映像として検出している。
【０００６】
また、映像信号を複数箇所の領域に分割し、各分割領域に存在する画素において輝度信号・色相信号のいずれかひとつ以上の直流成分の変化量を観察することで、光学的な刺激が強く人体に悪影響を及ぼす危険映像を検出し、変化を抑えた代替画像を表示する方法が、特許文献２に開示されている。
【０００７】
【特許文献１】特開平１１−２７５３８５号公報
【特許文献２】特開２００２−２５２７９２号公報
【発明の開示】
【発明が解決しようとする課題】
【０００８】
特許文献１における映像信号処理装置では、輝度信号・色差信号のうちいずれかひとつ以上における閾値以上の変化を検出しているが、閾値による変化量により危険映像を判断した場合、危険映像ではないのに関わらず危険映像であると判断されることが考えられる。たとえば、同一の被写体を移した映像において、同一パターンに近い背景が高速でパン・チルト等の変化をする場合、輝度信号・色差信号ともに大きく変化する。しかしながら、このようなシーンを含む映像は危険映像ではなく、一般の映像においても見られることがある。
【０００９】
このような問題は、特許文献２においても言及することができる。すなわち直流成分の変化量の観察においても、危険映像ではないのに関わらず危険映像であると判断されることが考えられる。
【００１０】
このような誤判定に関わる問題の一因として、映像信号の特徴についての解析が実施されておらず、映像の内容を把握していないという点が挙げられる。すなわち、映像信号を構成するコンテンツの内容が、明るい映像であるのか、暗い映像であるのか、あるいは、赤い色合いの映像であるのか、青い色合いの映像であるのか、等の内容である。輝度信号や色差信号における閾値以上の変化の検出では、これらの映像特徴を判断することは難しく、そのため危険映像における判定の精度が低下してしまうという問題があった。
【００１１】
本発明は、上記の課題を解決するためになされたもので、危険映像を精度よく検出し、削除または無効化する等の処置をする画像表示装置を提供することを目的とする。
【課題を解決するための手段】
【００１２】
この発明にかかる画像表示装置は、受信した映像信号に含まれる所定の映像情報からフレームごとの映像特徴を検出し、映像特徴信号を出力する映像特徴検出部と、前記映像特徴信号が所定時間内に一定回数以上変化した場合、制御信号を出力する映像変化検出部と、前記制御信号を解析しその解析結果に応じて、前記映像信号に所定の処置を行う映像信号対策部とを備える。
【発明の効果】
【００１３】
この発明によれば、画像表示装置において、受信した映像信号に含まれる所定の映像情報からフレームごとの映像特徴を検出し、映像特徴信号を出力する映像特徴検出部と、前記映像特徴信号が所定時間内に一定回数以上変化した場合、制御信号を出力する映像変化検出部と、前記制御信号を解析しその解析結果に応じて、前記映像信号に所定の処置を行う映像信号対策部とを備えることにより、映像信号の特徴を考慮した高精度かつ適応的な危険映像の検出が可能となり、これに適切な処置をすることにより危険映像が人体に与える影響を、削減あるいは無効化する等の処置をすることができる。
【発明を実施するための最良の形態】
【００１４】
＜Ａ．実施の形態１＞
＜Ａ−１．画像表示装置の構成＞
図１はこの発明の実施の形態１である画像表示装置の構成を示すブロック図である。同図に示すように、実施の形態１に係る画像表示装置は、入力端子１と、入力端子１に入力された信号を受信する受信部２と、受信部２からの出力を入力する画像処理装置３と、画像処理装置３からの出力を表示する表示部１０とを備える。
【００１５】
入力端子１には、テレビやコンピューター等で用いられている所定の形式の映像信号Ｄａが入力される。
【００１６】
受信部２は、映像信号Ｄａを入力端子１を介して受信し、映像信号Ｄａを画像処理装置３で処理可能な形式に変換して映像信号Ｄｂとして出力する。例えば受信部２は、映像信号Ｄａを、輝度情報Ｙ（あるいは明度情報Ｖ）、色相情報Ｈ、彩度情報Ｓ等、いくつかのデジタル形式の映像情報に変換した後、映像信号Ｄｂとして出力する。上述した動作を行う受信部２は、映像信号Ｄａがアナログ形式の信号の場合にはＡ／Ｄ変換器などで構成され、入力された映像信号Ｄａがデジタル形式の信号の場合にはその形式に適合した所定の復調器等で構成される。なお、ここで輝度情報Ｙと明度情報Ｖは同一値とし、実施の形態１において輝度情報Ｙと統一して記述する。
【００１７】
画像処理装置３は、入力される映像信号Ｄｂに対して処置を行い、映像情報としての映像信号Ｄｃとして表示部１０に出力する。処置を行う機能部についての詳細は後述する。
【００１８】
表示部１０は、入力された映像信号Ｄｃに基づいて画像を表示する。表示部１０は、例えば、液晶ディスプレイ、ＤＭＤ（Ｄｉｇｉｔａｌ  Ｍｉｃｒｏｍｉｒｒｏｒ  Ｄｅｖｉｃｅ）ディスプレイ、ＥＬ（ＥｌｅｃｔｏｒｏＬｕｍｉｎｅｓｃｅｎｃｅ）ディスプレイ、プラズマディスプレイ、ＣＲＴ（Ｃａｔｈｏｄｅ−Ｒａｙ  Ｔｕｂｅ）ディスプレイであって、反射型、透過型、あるいは自発光デバイスなどのあらゆる表示手段を適応できる。
【００１９】
＜Ａ−１−１．画像処理装置３の構成＞
画像表示装置における画像処理装置３の構成について、以下説明する。
【００２０】
画像処理装置３は、受信部２からの出力映像信号Ｄｂを入力される映像信号対策部６及び映像特徴検出部７と、映像特徴検出部７を介して映像信号対策部６に出力する映像変化検出部９とを備えている。映像信号対策部６は、受信部２からの信号が入力される対策実行部５と、映像変化検出部９からの信号が入力される対策制御部４を備える。
【００２１】
映像特徴検出部７は、映像信号Ｄｂに含まれる映像情報から、各１フレーム分の映像特徴値Ｐｓを算出して、映像変化検出部９に出力する。なお、映像特徴検出部７の構成に関してはさらに後述する。
【００２２】
映像変化検出部９は、映像特徴値Ｐｓを元にして、短期間における一定回数以上の変化を検出した場合に、映像信号Ｄｂを危険映像であると判断し、映像信号Ｄｂの危険性の有無、人体に与える影響の種類等の情報を含む制御信号としての制御値Ｃｒを対策制御部４に出力する。
【００２３】
対策制御４は、対策実行部５が映像信号Ｄｂに対して行う処置内容を示す対策指示値Ｐｒを制御値Ｃｒに基づいて算出し、対策実行部５に出力する。
【００２４】
一方、対策実行部５は、入力された対策指示値Ｐｒが対策実行を指示する内容である場合（すなわち、映像信号Ｄｂが危険映像であると判断された場合）に、映像信号Ｄｂに対し処置を行い、危険映像が人体に与える影響を削減あるいは無効化し、処置後の信号を映像信号Ｄｃとして表示部１０に出力する。
【００２５】
＜Ａ−１−２．映像特徴検出部７の構成＞
前述の画像処理装置３における、映像特徴検出部７の構成について以下説明する。
【００２６】
図２は、図１で示した映像特徴検出部７の一内部構成例の詳細を示すブロック図である。図２に示されるように、本実施の形態１の画像表示装置における映像特徴検出部７は、映像信号Ｄｂを受信する信号分配部７０と、信号分配部７０からの信号を受信する輝度ヒストグラム算出部７１および色ヒストグラム算出部７２と、輝度ヒストグラム算出部７１からの出力を受信する輝度ヒストグラム解析部７３と、色ヒストグラム算出部７２からの出力を受信する色ヒストグラム解析部７４と、輝度ヒストグラム解析部７３および色ヒストグラム解析部７４からの出力を受信する特徴判断部７５とを備えている。なお図２の構成は一例であり、映像特徴検出部７は本構成に限定されるものではない。
【００２７】
図２で示した例では、受信部２から得られ、色相情報Ｈ、彩度情報Ｓ、輝度情報Ｙを含む映像信号Ｄｂは、信号分配部７０に入力される。本実施の形態１では色空間の例として、ＨＳＶ色空間を利用する。
【００２８】
図２の映像特徴検出部７は実施の一例であり、映像特徴検出部７は、映像信号Ｄｂを基にして、映像特徴値Ｐｓが出力可能な構成であればどのようなものでもよい。
【００２９】
信号分配部７０は、１フレーム分の映像信号Ｄｂから輝度情報Ｙ、色相情報Ｈ、彩度情報Ｓを抽出する。そして、抽出した信号の内、輝度情報Ｙを輝度ヒストグラム算出部７１へ出力し、色相情報Ｈ、彩度情報Ｓを色ヒストグラム算出部７２へと出力する。
【００３０】
図２で示した例において、入力映像信号Ｄｂがインターレース信号の場合は、２フィールド分を１フレーム分の映像信号として、信号分配部７０により変換を行い、新しい映像信号を求める。このように信号分配部７０において、輝度ヒストグラム算出部７１、色ヒストグラム算出部７２で処理を行うための前処理を行っても良い。
【００３１】
他の前処理の例として、映像信号ＤｂがＲＧＢ信号等の、色相情報Ｈ、彩度情報Ｓ、輝度情報Ｙと異なった表色系で示されている際、既知の計算式により色相情報Ｈ、彩度情報Ｓ、輝度情報Ｙへと変換することも考えられる。
【００３２】
輝度ヒストグラム算出部７１は、入力された輝度情報Ｙを元として、輝度情報Ｈｙを算出し、輝度ヒストグラム解析部７３へと出力する。
【００３３】
色ヒストグラム算出部７２は、入力された色相情報Ｈ、彩度情報Ｓを元として、色情報Ｈｃを算出し、色ヒストグラム解析部７４へと出力する。
【００３４】
特徴判定部７５は、輝度ヒストグラム解析部７３および色ヒストグラム解析部７４から出力される輝度特徴値Ｈｙｃおよび色特徴値Ｈｃｃの組み合わせ内容に基づき、映像の特徴を判定し、映像特徴値Ｐｓとして、映像変化検出部９に出力する。
【００３５】
＜Ａ−２．画像処理装置３の動作＞
前述の画像表示装置において、画像処理装置３の動作について、構成要素ごとに以下説明する。
【００３６】
＜Ａ−２−１．映像特徴検出部７の動作（輝度ヒストグラム解析）＞
画像処理装置３に備えられた、映像特徴検出部７における輝度ヒストグラムに関する動作について以下説明する。
【００３７】
図３は、輝度ヒストグラム算出部７１が生成する輝度情報Ｈｙの一例を示したものである。図３で示した例では、輝度情報Ｈｙとして、輝度情報Ｙに関する輝度ヒストグラムＨＹを生成している。以下、輝度ヒストグラム算出部７１により生成された映像信号Ｄｂにおける輝度情報Ｙのヒストグラムを規定した情報を輝度ヒストグラムＨＹと呼ぶ。
【００３８】
図中の横軸は階調値（階級）を示し、縦軸は度数、つまり１フレーム分の映像信号Ｄｂの輝度に対する画素数を示している。なお以下の説明では、映像信号Ｄｂの輝度情報Ｙは、例えば８ビットのデータで構成されており、その階調値が“０”から“２５５”までの値を採り、その階調数は“２５６”とする。映像信号Ｄｂは本例では８ビットで表しているが、例えば１０ビット、６ビットのような他の階調数で表しても良い。
【００３９】
本実施の形態１に係る輝度ヒストグラム算出部７１は、例えば２５６の階調数を８階調ごとに３２の領域に分割し、当該３２の領域をヒストグラムの階級としている。そして、各階級での中心値付近の値、本例では、当該中心値に最も近くそれよりも大きい整数値を当該階級の代表値としている。例えば、階調値“０”から“７”までで構成される階級では、中心値は“３．５”となるため、当該階級の代表値は“４”となる。図３の横軸の数字は各階級の代表値を示している。
【００４０】
なお、階級の中心値が整数であれば、当該中心値を当該階級の代表値としても良い。また、本例のように階級の中心値が整数でなく小数の場合であっても、階級の代表値として当該階級の中心値を採用しても良い。階級の中心値が小数の場合には、本例のように、階級の代表値として当該階級の中心値付近の整数を採用することによって、演算量を低減できる。
【００４１】
このように、本実施の形態１に係る輝度ヒストグラム算出部７１では、８つの連続する階調値からなる領域を一つの階級としているため、図３に示されるヒストグラムの各度数は、８階調分の信号の総和となる。例えば、横軸の数値４に示された度数は、１フレーム分の輝度情報Ｙに含まれる、階調値０から階調値７までの信号の総和に相当する。
【００４２】
なお、図３のヒストグラムとは異なり、各階調値ごとに度数を計数してヒストグラムを生成してもよい。つまり、各階級を一つの階調値で構成するようにしても良い。この場合には、各階級の代表値は当該階級を構成する階調値そのものとなる。
【００４３】
また、階調数を分割する場合には、その分割数は３２以外に設定しても良く、ヒストグラムの分割数や範囲を自由に設定しても良い。例えば、階調数が“２５６”の場合、階調値“０”から“３２”と“２００”から“２５５”の範囲を４階調刻み、その他を２４刻みとすることもできる。また、ヒストグラムを不均等に分割し、階調値の範囲を自由に設定できるように構成してもよい。このように当該分割数を変化させることによって、輝度ヒストグラム算出部７１での演算量や、ヒストグラムの精度を調節することができる。
【００４４】
輝度ヒストグラム解析部７３は、輝度ヒストグラム算出部７１で生成されたヒストグラムにおいて、累積度数が所定の閾値ＹＡよりも初めて大きくなる階級の代表値を抽出し、最大階調情報値Ｙｉｍａｘとして出力する。
【００４５】
また輝度ヒストグラム解析部７３は、輝度ヒストグラム算出部７１で生成されたヒストグラムにおいて、累積度数が所定の閾値ＹＢよりも初めて大きくなる階級の代表値を抽出し、最小階調情報値Ｙｉｍｉｎとして出力する。
【００４６】
また輝度ヒストグラム解析部７３は、輝度ヒストグラム算出部７１で生成されたヒストグラムにおいて、累積度数が所定の閾値ＹＣ（たとえば画素数全体の半分）よりも初めて大きくなる階級の代表値を抽出し、中間輝度階調Ｙｉｍｉｄとして出力する。
【００４７】
なお、これら最大階調情報値Ｙｉｍａｘ、最小階調情報値Ｙｉｍｉｎ、中間輝度階調Ｙｉｍｉｄの算出に利用する累積度数は、階級の最小から最大に向かって度数を累積して得られる累積度数ＨＹＢ・階級の最大から最小に向かって度数を累積して得られる累積度数ＨＹＷのいずれを用いてもよい。前述の例では、最大階調情報値Ｙｉｍａｘおよび中間輝度階調Ｙｉｍｉｄを算出するために累積度数ＨＹＢを利用し、最小階調情報値Ｙｉｍｉｎを算出するために累積度数ＨＹＷを利用している。
【００４８】
図３に示されるヒストグラムでは、累積度数ＨＹＷが閾値ＹＡよりも初めて大きくなる階級の代表値は“１８８”であるため、この“１８８”が最大階調情報値Ｙｉｍａｘとなる。このように、最大階調情報値Ｙｉｍａｘは１フレーム分の映像信号Ｄｂにおける最大階調値“２０４”とは異なり、累積度数ＨＹＷ及び閾値ＹＡを用いて検出された最大階調値に準ずる値である。なお、処理の軽減のため最大階調値自体を最大階調情報値として用いてもよい。これは以下の最小階調情報値についても同様である。
【００４９】
また図３の例では、累積度数ＨＹＢが閾値ＹＢよりも初めて大きくなる階級の代表値が“２０”であるため、この“２０”が最小階調情報値Ｙｉｍｉｎとなる。この最小階調情報値Ｙｉｍｉｎは、１フレーム分の映像信号Ｄｂにおける最小階調値ではなく、累積度数ＨＹＢ及び閾値ＹＢを用いて検出された、最小階調値に準ずる値となる。
【００５０】
そして、累積度数ＨＹＢが閾値ＹＣよりも初めて大きくなる階級の代表値は“７６”であるため、この“７６”が中間階調情報値Ｙｉｍｉｄとなる。通常、この中間階調情報値Ｙｉｍｉｄは、１フレーム分の映像信号Ｄｂにおける全体の画素数の半分（５０％）に達したときの階調値となる。
【００５１】
また輝度ヒストグラム解析部７３は、１フレーム分の映像信号Ｄｂから得られる輝度情報Ｙから、平均輝度情報値を演算して平均輝度値Ｙｉａｖｅとして出力する。具体的には、輝度信号階調数をＹｉ、その輝度信号階調の画素数をｎＹｉとして平均輝度値＝Σ（Ｙ×ｎＹｉ）／ΣｎＹｉを計算する。平均輝度値Ｙｉａｖｅは、閾値により切り分けることで、例えば「高」・「中」・「低」等のように簡易的に表示することもできる。
【００５２】
以上のように、輝度ヒストグラム解析部７３は最大階調情報値Ｙｉｍａｘ、最小階調情報値Ｙｉｍｉｎ、中間輝度階調Ｙｉｍｉｄ、平均輝度値Ｙｉａｖｅの４種の特徴値を算出し、特徴判断部７５に出力する。本例では、これらの値を輝度情報Ｙに関する輝度特徴値Ｈｙｃとして出力したが、これらの情報のうち一部のみを輝度特徴値Ｈｙｃとして出力してもよい。また、必要に応じてさらなる特徴値を算出し、輝度特徴値Ｈｙｃとして出力することもできる。
【００５３】
このように輝度特徴値の数を増加させることにより、特徴判断の精度を向上させることができる。また、減少させることにより、特徴判断の際の処理数を低減させることができる。
【００５４】
その他の輝度特徴値Ｈｙｃの一例として、例えば輝度ヒストグラムＨｙに関する標準偏差、分散などの統計値を算出する方法等が挙げられる。
【００５５】
輝度特徴値Ｈｙｃは、閾値により切り分けることで、例えば「高」・「中」・「低」等のように簡易的に表示することが望ましい。このように簡易表示を行うことで、輝度特徴を保持したまた情報量を削減し、計算量を減らすことができる。
【００５６】
＜Ａ−２−２．映像特徴検出部７の動作（色ヒストグラム解析）＞
画像処理装置３に備えられた、映像特徴検出部７における色ヒストグラムに関する動作について以下説明する。
【００５７】
色ヒストグラム算出部７２は、入力された色相信号Ｈ、彩度信号Ｓを元として、色情報Ｈｃを算出し、色ヒストグラム解析部７４へと出力する。
【００５８】
図４は、色ヒストグラム算出部７２が生成する色情報Ｈｃの一例を示したものである。図４で示した例では、色情報Ｈｃとして、色相信号Ｈに関する色相ヒストグラムＨＨを生成している。以下、色ヒストグラム算出部７２により生成された映像信号Ｄｂにおける色相情報Ｈのヒストグラムを規定した情報を色相ヒストグラムＨＨと呼ぶ。
【００５９】
図４で示した例において、色情報Ｈｃを作成するにあたり、色相情報Ｈを利用してヒストグラムを作成しているが、色相情報Ｈ以外の、彩度情報Ｓ等を利用してヒストグラムを作成してもかまわない。また、色相情報Ｈ、彩度情報Ｓ、あるいはＲＧＢ等のそのほかの色情報を組み合わせてヒストグラムを作成してもかまわない。
【００６０】
図４で示した例において、図中の横軸は色相角を示し、縦軸は度数、つまり１フレーム分の映像信号Ｄｂの色相角に対する画素数を示している。なお以下の説明では、映像信号Ｄｂの色相情報Ｈは、“０”から“３６０”までの値を採っているが、“０”から“２５６”や“０”から“１”などのように、ほかの尺度を利用して表してもよい。なお、本例では０度は赤を表し、続いて６０度の黄、１２０度の緑、１８０度の水色、２４０度の青、３００度の紫となり、３６０度で再び赤を表している。
【００６１】
本実施の形態１に係る、色ヒストグラム算出部７２が生成する色相ヒストグラムＨＨは、例えば３６０の色相角を６０度ごとに６個の領域に分割し、当該６個の領域を色相ヒストグラムの色相角としている。そして、各色相角での中心値付近の値、本例では、当該中心値に最も近くそれよりも大きい整数値を当該色相角の代表値としている。例えば、色相角“０”から“６０”までで構成される階級では、中心値は“３０”となるため、当該色相角の代表値は“３０”となる。図４の横軸の数字は各色相角の代表値を示している。
【００６２】
なお、色相角の中心値が整数であれば、当該中心値を当該色相角の代表値としても良い。また、色相角の中心値が整数でなく小数の場合であっても、色相角の代表値として当該色相角の中心値を採用しても良い。色相角の中心値が小数の場合には、色相角の代表値として当該色相角の中心値付近の整数を採用することによって、演算量を低減できる。
【００６３】
さらに演算量を低減する必要があるときには、各色相角の代表値として、便宜的に簡単な数字を割り当ててもかまわない。すなわち、本例の場合には代表値“３０”の色相角を、代表値“１”として表し、続いて“２”、“３”・・・のように表すことも可能である。
【００６４】
このように、本実施の形態１に係る色ヒストグラム算出部７２では、連続する色相角の値からなる領域を一つの階級としているため、図４に示される色相ヒストグラムの各度数は、０〜６０度までの色相角の信号の総和となる。例えば、横軸の数値３０に示された度数は、１フレーム分の映像信号Ｄｂの輝度信号に含まれる、色相角０度から色相角６０度までの信号の総和に相当する。以下、代表値が“ｉ”である色相角の色相をＣｂｈ（ｉ），度数を映像信号Ｄｂｈ（ｉ）と呼ぶ。すなわち図４の例では、０〜６０度までの色相角の信号の総和を代表値“３０”として表しているため、当該領域の色相をＣｂｈ（３０），度数を映像信号Ｄｂｈ（３０）と表す。
【００６５】
なお、図４の色相ヒストグラムとは異なり、色相角ごとに角度を計数して色相ヒストグラムを生成してもよい。つまり、各色相角を一つの色相角で構成するようにしても良い。この場合には、各色相角の代表値は当該色相角を構成する色相角の値そのものとなる。
【００６６】
また、色相角を分割する場合には、その分割数は６以外に設定しても良く、色相ヒストグラムの分割数や範囲を自由に設定しても良い。例えば、色相角“０”から“６０”と“３００”から“３６０”の範囲を１０度刻み、その他を３０度刻みとすることもできる。あるいは、必要のない色相角の度数を省略してもかまわない。このように当該分割数を変化させ、必要のない色相角の度数を省くことにより、色ヒストグラム算出部７２での演算量や、色相ヒストグラムの精度を調節することができる。分割数や範囲は、検出したい特徴の色相に合わせて選択する等の方法が考えられる。
【００６７】
本例では色相ヒストグラムの度数は１フレーム分の映像信号Ｄｂの色相角に対する画素数で表しているが、累積画素数として表示してもよい。また、画素数ではなく、全体の画素数に占める割合として、１０％等の表示を行ってもよい。
【００６８】
図５は色ヒストグラム解析部７４による色特徴値Ｈｃｃの生成例を示す説明図である。同図に示すように、色ヒストグラム解析部７４は色相ヒストグラムＨＨの各度数Ｄｂｈ（ｉ）が、所定の色相判定閾値ＴＤｂｈ２より小さい値であるか、閾値ＴＤｂｈ２とそれより大きな所定の閾値である閾値ＴＤｂｈ１値の間の値であるか、色相判定閾値ＴＤｂｈ１より大きい値であるかを判定し、３つの分類情報値、低・中・高のうち、いずれか一を規定した色相判定情報値Ｄｂｈｃ（ｉ）を算出する。
【００６９】
図５に表す例では、Ｄｂｈ（３０）は、所定の閾値ＴＤｂｈ１より大きい値であるため、Ｄｂｈｃ（３０）は「高」と指示する値が入力される。また、Ｄｂｈ（９０）は、閾値ＴＤｂｈ２と閾値ＴＤｂｈ１値の間の値であるため、Ｄｂｈｃ（９０）は「中」と指示する値が入力される。Ｄｂｈ（１５０）、Ｄｂｈ（２１０）、Ｄｂｈ（２７０）、Ｄｂｈ（３３０）は所定の色相判定閾値ＴＤｂｈ２より小さい値であるため、Ｄｂｈｃ（１５０）、Ｄｂｈｃ（２１０）、Ｄｂｈｃ（２７０）、Ｄｂｈｃ（３３０）は「低」と指示する値が入力される。
【００７０】
なお、本例では所定の閾値は二種類であり高中低の３通りに分類したが、３通り以外に分類してもでもよい。すなわち閾値は二種類より多くても、少なくてもかまわない。閾値を多く調整することにより、より詳細な分類が可能になる。また、閾値の数を少なくすることにより、処理量を低減することができる。
【００７１】
また、色相角領域Ｃｂｈ（ｉ）によって閾値の値を変えてもかまわない。例えば、Ｄｂｈ（３０）に関しては、所定の閾値ＴＤｂｈ１のみにより判断し、Ｄｂｈ（９０）は、所定の閾値ＴＤｂｈ１及び、別の所定の閾値ＴＤｂｈ２、ＴＤｂｈ３により色相判定情報値Ｄｂｈｃ（ｉ）を求めるという手法も取ることができる。このように、色相角領域Ｃｂｈ（ｉ）によって閾値の値を変えることにより、詳細に解析を行いたい色相を重点的に解析し、詳細な解析が不要な色相の解析精度を下げる等の効果を得ることができる。
【００７２】
色ヒストグラム解析部７４は、色相角領域Ｃｂｈ（ｉ）における色相判定情報値Ｄｂｈｃ（ｉ）を、色特徴値Ｈｃｃとして特徴判定部７５に出力する。すなわち図５に表す例では、Ｄｂｈｃ（３０）＝「高」、Ｄｂｈｃ（９０）＝「中」、Ｄｂｈｃ（１５０）＝Ｄｂｈｃ（２１０）＝Ｄｂｈｃ（２７０）＝Ｄｂｈｃ（３３０）＝「低」を意味する色特徴値Ｈｃｃが、特徴判定部７５に出力される。
【００７３】
なお、色特徴値Ｈｃｃを出力するにあたって、色相角領域Ｃｂｈ（ｉ）と色相判定情報値Ｄｂｈｃ（ｉ）のうち、いずれか一方を規定することにより、色相角領域Ｃｂｈ（ｉ）のみ、あるいは、色相判定情報値Ｄｂｈｃ（ｉ）のみを出力してもかまわない。
【００７４】
たとえば、色相判定情報値Ｄｂｈｃ（ｉ）＝「高」である色相角領域Ｃｂｈ（ｉ）を出力する方法が考えられる。図５の例に戻ると、Ｄｂｈｃ（ｉ）＝「高」である色相角領域Ｃｂｈ（ｉ）として、色相角領域Ｃｂｈ（３０）が色特徴値Ｈｃｃとして特徴判定部７５に出力される。
【００７５】
また、他の例として、色相角領域Ｃｂｈ（３０）の色相判定情報値Ｄｂｈｃ（３０）を出力するという、色相角領域を指定した方法が考えられる。図５の例に戻ると、色相角領域Ｃｂｈ（３０）の色相判定情報値として、色相判定情報値「高」が色特徴値Ｈｃｃとして特徴判定部７５に出力される。
【００７６】
なお、必要により、色相判定情報値のうち、一部のみを色特徴値Ｈｃｃとして出力し、残りの色相判定情報値を出力しないという手段を取ることもできる。このように、出力する情報を制限することにより、情報量を削減し、計算量を減らすことができる。
【００７７】
なお、本例では、色特徴値Ｈｃｃを閾値により「高」・「中」・「低」と３種類に切り分けることで、色特徴を保持したまた情報量を削減しているが、切り分けを行う個数は、３以外でもかまわない。また、色相ヒストグラムＨＨの各度数Ｄｂｈ（ｉ）をそのまま出力してもよい。
【００７８】
＜Ａ−２−３．特徴判断部７５の動作＞
画像処理装置３に備えられた、映像特徴検出部７における特徴判断部７５の動作について以下説明する。
【００７９】
特徴判定部７５は、輝度ヒストグラム解析部７３および色ヒストグラム解析部７４から出力される輝度特徴値Ｈｙｃおよび色特徴値Ｈｃｃの組み合わせ内容に基づき、映像の特徴を判定し、映像特徴値Ｐｓとして、映像変化検出部９に出力する。
【００８０】
図６は、特徴判定部７５に入力された輝度特徴値Ｈｙｃおよび色特徴値Ｈｃｃの組み合わせに対し、映像特徴を７種類に分類した一例である。説明の簡単化のため、本例では、前述の例より輝度特徴値Ｈｙｃおよび色特徴値Ｈｃｃを少なくし、Ｄｂｈｃ（３０）、Ｄｂｈｃ（９０）、Ｄｂｈｃ（１５０）、Ｙｉａｖｅを利用して、映像特徴毎に７種類へと分類を行い、映像特徴値Ｐｓ（ｉ）を出力している。本例では特徴を７種類に分類しているが、分類を行う特徴はいくつでもよい。
【００８１】
また、本例では色相や輝度に関する特徴へと分類しているが、分類基準はそれに限ったものではなく、映像信号Ｄｂの特徴を表すものであればどのようなものでもかまわない。
【００８２】
特徴判定部７５による特徴判定の組み合わせ内容は、従来の危険映像や、人間の視覚特性データを元に任意に作成することが出来る。図６の例では、Ｄｂｈｃ（３０）、Ｄｂｈｃ（９０）、Ｄｂｈｃ（１５０）が「低」であり、Ｙｉａｖｅが「高」であれば、Ｐｓ（１）「ライト」を指示する映像特徴値Ｐｓが映像変化検出部９に出力される。
【００８３】
なお、本例と異なり、輝度特徴値Ｈｙｃおよび色特徴値Ｈｃｃの内容を増やすことにより、より細かい特徴分類が可能になる。
【００８４】
上記した例では、７種類の特徴に分類したため、分類名を特徴名で呼ぶこととする。図６の分類で、ライト（Ｐｓ（１））は、白色等の明るい映像が多く含まれる特徴を持つ。レッド（Ｐｓ（２））は、赤色が多く含まれる映像、イエロー（Ｐｓ（３））は黄色が多く含まれる映像、グリーン（Ｐｓ（４））は緑色が多い映像である。ダーク（Ｐｓ（５））は黒色等の暗い映像が多く含まれる特徴を持つ。カラフル（Ｐｓ（６））は多くの色が混ざっている映像になる。また、ノーマルはこれといった特徴を持たない映像である。
【００８５】
このように、特徴判定部７５では、映像信号Ｄｂから得られた色相情報Ｈ、彩度情報Ｓ、輝度情報Ｖを基にして、特徴を判定することができる。
【００８６】
本例における映像特徴検出部７では、入力される映像信号Ｄｂは１フレームの映像信号であるが、１フレームの映像信号ではなく、複数フレームの映像信号を利用してもよい。たとえば、フレーム補間技術に見られるように、複数フレーム分の映像信号を利用して、新しい映像信号を作成した場合等において、複数フレームを元にして作成した新しい映像信号を元に、解析を行ってもかまわない。
【００８７】
＜Ａ−２−４．映像変化検出部９の動作＞
画像処理装置３に備えられた、映像変化検出部９の動作について以下説明する。
【００８８】
映像変化検出部９は、映像特徴検出部７から出力される映像特徴値Ｐｓを解析し、短期間における一定回数以上の変化を検出した場合に、映像信号Ｄｂを危険映像であると判断し、映像信号Ｄｂの危険性の有無、人体に与える影響の種類等の情報を含む制御信号としての制御値Ｃｒを映像信号対策部６の対策制御部４に出力する。
【００８９】
短期間における一定回数以上の変化を、Ｔｆフレーム以内に映像特徴値ＰｓがＴｔ回以上、推移することとする。Ｔｆフレーム以内において、Ｔｔ回以上の変化が検出された場合、制御値Ｃｒが出力される。Ｔｆ、Ｔｔを検出パラメータと呼ぶ。
【００９０】
図７は、映像変化検出部９に入力された映像信号Ｄｂの映像特徴値Ｐｓに対し、映像信号Ｄｂが危険映像であると判断する方法の一例である。図６で利用した特徴分類Ｐｓ（１）〜Ｐｓ（７）を利用して説明する。
【００９１】
図７で示した例において、図中の横軸は解析フレーム（すなわち時間経過）を示し、縦軸は映像特徴値Ｐｓ（ｉ）を示している。つまり図中の折れ線は、映像特徴値Ｐｓ（ｉ）の推移を表している。
【００９２】
短期間における推移として、例えば、検出パラメータＴｆ＝１０フレーム、Ｔｔ＝５回とした場合、図７における６〜１２フレーム間において、Ｐｓ（２）およびＰｓ（３）間で６回推移を検出しており、このような映像特徴値Ｐｓの推移を検出した場合には、映像信号Ｄｂは危険映像であると判断する。本例で挙げた映像変化は、レッド（Ｐｓ（２））およびイエロー（Ｐｓ（３））が数フレームの間で激しく変化する映像となる。
【００９３】
映像変化検出部９において、危険映像を判断する方法についての別の例を図８に示す。同様に検出パラメータＴｆ＝１０フレーム、Ｔｔ＝５回とした場合、図８における４〜１２フレーム間において、Ｐｓ（２）〜Ｐｓ（５）間で８回推移を検出しており、このような映像特徴値Ｐｓの推移を検出した場合には、映像信号Ｄｂは危険映像であると判断する。本例で挙げた映像変化は、数フレームの間で特徴が大きく変化する映像となる。
【００９４】
このように、短期間における推移に関しては、同一映像特徴値間のみの推移の場合、同一映像特徴値間以外の推移が含まれている場合、ともに利用することができる。
【００９５】
本例において、検出パラメータＴｆ・Ｔｔともに一定である必要はなく、映像特徴値Ｐｓの変化に応じて、調整してもよい。また、映像特徴値Ｐｓの変化によっては、危険映像ではないと判断する場合も考えられる。
【００９６】
図９は、映像変化検出部９において入力された映像信号Ｄｂが危険映像であることを判断するために利用する検出パラメータ、および出力される制御値の一例である。図に示すように、例えば、映像特徴値がＰｓ（１）とＰｓ（５）の間で変化する場合には、５フレーム以内において、３回以上の変化が検出された場合、制御値ＣｒとしてＣｒ（２）が出力される。ここでＣｒ（２）はいくつかある制御値Ｃｒのうちの一つであり、後述する対策実行部５における対策に応じて出力することができるものである。
【００９７】
上記の例のような変化は暗い映像が多いという特徴を持つダーク（Ｐｓ（５））と明るい映像が多いという特徴を持つライト（Ｐｓ（１））が頻繁に繰り返される、白黒画像の点滅に近い映像となる。暗い部屋で視聴した場合等において、強いストレスを与えられる可能性がある危険映像であり、映像信号Ｄｂに対する処置が必要である。制御値によってその処置内容等を指示する値を出力する。
【００９８】
図９における別の例を示す。映像特徴値がＰｓ（６）とＰｓ（７）の間で変化する場合には、短期間における変化があった場合でも、制御値Ｃｒは出力されない。このように、映像特徴値によっては、危険映像と判断しないという判定を行う場合もある。
【００９９】
映像変化検出部９において、映像信号の特徴を検出し、特徴の短期間における推移を検出することにより、危険映像を判断することができる。また、特徴毎に検出パラメータＴｒ、Ｔｆおよび制御値Ｃｒを変化させることも可能であるため、検出の精度を調整することができる。例えば、高精度の検出が必要である危険映像の検出精度を上げることができる。
【０１００】
また、映像信号の特徴を考慮した制御値Ｃｒを出力することで、危険映像に対して行われる処置を、特徴を反映させた効果的なものとすることができる。
【０１０１】
ここで、準備される制御値Ｃｒは、Ｐｓ（ｉ）の組み合わせの数だけ配備してもよいし、映像特徴数と同じ数であってもよい。また、制御値Ｃｒを１種類のみ規定して、危険信号の有無のみを送信してもかまわない。
【０１０２】
また本例と異なり、短期間における推移が２種類以上の映像特徴値Ｐｓ（ｉ）にわたる変化である場合にも、各々の検出パラメータＴｆ、Ｔｔ、および制御値Ｃｒを設定してかまわない。
【０１０３】
制御値Ｃｒを、図９のように映像特徴値Ｐｓ（ｉ）の組み合わせに合わせて出力することより、ある特定の映像特徴から、別の特定の映像特徴への変化を規定することができる。映像信号の特定の特徴変化を一意に決定するのが望ましい場合には、制御値Ｃｒを一意に設定すればよい。
【０１０４】
制御値Ｃｒを映像信号の特徴変化に合わせて作成することで、映像信号対策部６において危険映像に対して行われる処置を、特徴を反映させた効果的なものとすることができる。
【０１０５】
映像変化検出部９は映像信号Ｄｂの映像特徴値Ｐｓを利用して、制御値Ｃｒを算出する構成であればどのような構成でもかまわない。
【０１０６】
制御値Ｃｒを出力中に、現在までに検出された制御値Ｃｒ（Ｂｆ）と異なった映像特徴変化が見られ、新しい制御値Ｃｒ（Ａｆ）が算出された場合、Ｃｒ（Ｂｆ）、Ｃｒ（Ａｆ）のいずれを出力してもかまわない。また、Ｃｒ（Ｂｆ）、Ｃｒ（Ａｆ）の双方が出力されたことを表す別の制御値Ｃｒ（Ｂａ）を新たに出力してもかまわない。
【０１０７】
Ｃｒ（Ａｆ）を出力する構成にした場合には、危険映像の変化をその都度検出し、危険映像の種類に合わせた対応を取ることができる。一方Ｃｒ（Ｂａ）を出力する構成にした場合、危険の種類が頻繁に変化する特徴の危険映像であることが分かるため、危険映像全般に効果がある一般的な処置を取る等の対策が考えられる。
【０１０８】
なお、本例では、映像信号Ｄｂが危険映像であると判断した場合に、制御値Ｃｒを映像信号対策部６に出力しているが、映像信号Ｄｂが危険映像ではない場合にも、制御値Ｃｒを出力する構成にしてもかまわない。この場合には、制御値Ｃｒは映像信号Ｄｂに関する対応が不要であることを意味する情報や、映像信号Ｄｂの変化が危険ではないことを意味する情報等を出力すればよい。
【０１０９】
本例と異なり、検出パラメータＴｆ、Ｔｔ、および制御値Ｃｒをすべて同値に設定してもかまわない。ただし、この場合は特徴に合わせた検出を行うことができなくなり、処置の効果は減少する。
【０１１０】
映像変化検出部９が、危険映像を検出するまでの数フレームに関しては、検出が完了していないため危険映像がそのまま出力されてしまうが、危険映像は続けて視聴することにより、人体に強い影響を与える傾向にあるため、検出に必要な短時間において、人体に与える影響は少ない。検出までの時間を短縮する場合には、検出パラメータＴｆ、Ｔｔを小さく設定すればよい。検出時間は短縮できるが、検出精度が多少低下することになる。
【０１１１】
映像変化検出部９による制御値Ｃｒの出力は、映像特徴値Ｐｓの変化が終了するまで続けられる。なお、映像特徴値Ｐｓの変化が終了した後、一定時間経過や映像コンテンツの終了等、そのほかの条件により制御値Ｃｒの出力を停止させてもかまわない。
【０１１２】
ただし前述のように、Ｐｓの変化が終了すること以外の条件により制御値Ｃｒの出力を停止させた場合、危険映像ではない映像信号に対しても処置が行われることになり、コンテンツの内容が損なわれる可能性がある。一方、同一コンテンツには同じような危険映像が再度含まれる可能性もあり、再度危険映像が検出された際には、危険映像検出までの数フレームが不要となるため、効果も期待できる。
【０１１３】
＜Ａ−２−５．映像信号対策部６の動作＞
画像処理装置３に備えられた、映像信号対策部６の動作について以下説明する。
【０１１４】
映像信号対策部６に備えられている対策制御部４は、制御信号としての制御値Ｃｒに対応した映像信号Ｄｂに対する対策指示値Ｐｒを選択し、対策実行部５に出力する。対策指示値Ｐｒは、危険映像の特徴等を基として、自由に調整可能である。
【０１１５】
対策制御部４から対策実行部５に出力される、対策指示値Ｐｒによる指示は、例えば、映像のフレーム数を減少させ変化の度合いを減少させる方法、文字や音声により視聴者に注意を促す方法、別の映像や静止画像へと置換する方法、輝度や彩度等の値を減少させる方法等が考えられる。
【０１１６】
対策指示値Ｐｒによる指示は、映像特徴から算出された制御信号としての制御値Ｃｒを考慮して作成するのが望ましい。たとえば、白黒画像が点滅するような映像である場合は、フレーム数を減少させ、変化の度合いを減少させる方法等が考えられる。一方、黄色や水色等の鮮やかな色合いが点滅するような映像である場合には、映像信号の彩度を減少させた後、フレーム数を減少させ、変化の度合いを減少させる方法等が考えられる。
【０１１７】
対策制御部４により出力される対策指示値Ｐｒの一例を、図９の例を利用して説明する。図９の例では、映像変化検出部９から制御信号としての制御値Ｃｒが１から４の４種類の値で出力されている。４値の制御信号としての制御値Ｃｒを、それぞれＣｒ（１）、Ｃｒ（２）、Ｃｒ（３）、Ｃｒ（４）というように、Ｃｒ（ｉ）の形式で表すこととすると、Ｃｒ（ｉ）それぞれに対応する対策指示値Ｐｒが、対策制御部４により導出される。
【０１１８】
ここでＣｒ（ｉ）に対応するＰｒ（ｉ）は、すべて同じでもかまわないし、それぞれ異なっていてもかまわない。すべて同じである場合には、例えばＣｒ（ｉ）（ｉ＝１，２，３，４）＝Ｐｒ（１）のように構成され、またそれぞれ異なる場合には、例えばＣｒ（ｉ）＝Ｐｒ（ｉ）（ｉ＝１，２，３，４）のように構成される。
【０１１９】
また、本例では、映像信号Ｄｂが危険映像であり対策が必要であると判断した場合に、対策指示値Ｐｒを出力しているが、映像信号Ｄｂが危険映像ではない場合に、対策指示値Ｐｒを出力する構成にしてもかまわない。この場合には、対策指示値Ｐｒは映像信号Ｄｂに関する対策が不要であることを意味する情報や、映像信号Ｄｂの変化が危険ではないことを意味する情報等を出力すればよい。
【０１２０】
図９における例において、短期間Ｔｆにおける、レッド（Ｐｓ（２））とグリーン（Ｐｓ（４））の一定回数Ｔｔ以上の変化を検出した際に、制御信号としての制御値Ｃｒ（４）が出力される。制御信号としての制御値Ｃｒ（４）に対応する対策指示値Ｐｒとして、Ｐｒ（４）が導出される。
【０１２１】
Ｐｒ（４）は赤色と緑色の短期間における変化であるため、暗い部屋で視聴した場合等において、強いストレスを与えられる可能性がある危険映像であり、映像信号Ｄｂに対する処置が必要である。そこで処理の例として、危険映像中の任意の１フレームの映像情報を保持し、保持した映像を、静止画像として一定時間表示するという方法をとる。
【０１２２】
映像信号対策部６に備えられている対策実行部５は、対策制御値４より出力される対策指示値Ｐｒに基づいて画像処理を行い、危険映像が人体に与える影響を、削減あるいは無効化する。
【０１２３】
危険映像に対する画像処理は、画像処理を行わないフレームがあってもよい。例としては、フレーム数を減少させる場合等が考えられ、表示を行わないフレームが生じる反面、表示を行わないフレームの代わりに、静止画像として表示し続ける等の手法が考えられる。
【０１２４】
＜Ａ−３．効果＞
この発明にかかる実施の形態１によれば、画像表示装置において、受信した映像信号Ｄｂに含まれる所定の映像情報からフレームごとの映像特徴を検出し、映像特徴信号Ｐｓを出力する映像特徴検出部７と、前記映像特徴信号Ｐｓが所定時間内に一定回数以上変化した場合、制御信号としての制御値Ｃｒを出力する映像変化検出部９と、前記制御値Ｃｒを解析しその解析結果に応じて、前記映像信号Ｄｂに所定の処置を行う映像信号対策部６とを備えることで、危険映像を検出することができ、これに適切な処置をすることにより危険映像が人体に与える影響を、削減あるいは無効化する等の処置をすることができる。
【０１２５】
また、この発明にかかる実施の形態１によれば、画像表示装置において、所定の処置は、映像信号Ｄｂに含まれる人体に悪影響を及ぼす要因を抑制する処置であることで、危険映像を検出することができ、これに適切な処置をすることにより危険映像が人体に与える影響を、削減あるいは無効化する等の処置をすることができる。
【０１２６】
また、この発明にかかる実施の形態１によれば、画像表示装置において、所定の映像情報が、輝度情報Ｖ、色相情報Ｈ、彩度情報Ｓのいずれか複数個を含むことで、明るさの変化や、色の変化の特徴を取得し、それらの情報を組み合わせる等により精度の高い映像特徴の検出が可能となり、危険映像の検出の精度を向上させることができる。
できる。
【０１２７】
また、この発明にかかる実施の形態１によれば、画像表示装置の映像変化検出部９において、映像特徴信号としての映像特徴値Ｐｓが、予め定められた特定の映像特徴から予め定められた別の特定の映像特徴へと変化した場合に、制御信号としての制御値Ｃｒを出力することで、映像信号Ｄｂの特徴を考慮し、変化の特徴に合わせた処置を予め規定することができ、映像信号対策部６において危険映像に対して行われる処置を、特徴を反映させた効果的なものとすることができる。映像変化の特定の軌跡を判断することができるため、予め解析されている危険映像と比較し、特定の特徴変化における特に危険性の高い映像等の識別が可能である。
【０１２８】
また、この発明にかかる実施の形態１によれば、画像表示装置の映像特徴検出部７において、１フレーム分の映像信号Ｄｂの替わりに、複数フレーム分の映像信号Ｄｂから、映像特徴を検出することで、倍速駆動等の複数フレームから生成された映像に対しても、危険映像を判定可能である。
【０１２９】
また、この発明にかかる実施の形態１によれば、画像表示装置の映像信号対策部６において、制御信号としての制御値Ｃｒの異なる解析結果に応じて、予め定められた異なる処置を所定の処置として適用することにより、映像信号に対する処置を変更することで、特徴によって対応する処置を実行でき危険映像の危険性にあった、より効果的な処置が可能になる。
【０１３０】
また、本実施の形態１に係る画像表示装置は、映像信号Ｄｂから、危険映像を検出する手法として、映像表示装置に限らず映像に関わる他分野での利用も考えられる。他の分野での利用として、例えば、ハードディスクやＤＶＤ等の映像レコーダー等の映像記録装置が上げられる。
【０１３１】
なお、映像記録装置において、これらの応用を行った場合、リアルタイムに視聴する場合と異なり、予め解析を行っておくことにより、危険映像の検出までに要する数フレームが不要となり、より安全な映像を提供することができる。予め検出を行う場合には、危険映像に対する処置に関しても同様に、予め行っておくことができる。
【０１３２】
一方、本実施の形態と同様なことを、上述の特許文献２、特許文献３に記載の技術を用いて行うには、予め内容種が既知であるマルチメディアデータが保持されている必要がある。そのため、初見の番組等では分類を行うことができない。
【０１３３】
上述の特許文献２、特許文献３に記載の技術では、輝度信号、色相信号、色差信号における閾値のみで危険映像を一様に検出している。そのため、危険映像の特徴を得ることができず、特徴に合わせた処置を行うことができない。また、検出の精度が劣っており、詳細な検出を行うことができない。
【０１３４】
なお、本実施の形態１に係る画像表示装置では、ＨＳＶ色空間を例に危険映像を検出したが、たとえばＲＧＢ色空間、ＣＭＹ色空間、ＨＬＳ色空間、ＹＣｂＣｒ色空間、Ｌａｂ表色系、Ｌ＊ａ＊ｂ＊表色系、Ｌ＊ｕ＊ｖ＊表色系、等その他のあらゆる色空間や表色系に関しても適応することができる。
【０１３５】
また、本実施の形態１における映像特徴の検出方法は、後述する実施の形態２および３においても利用することができるものである。
【０１３６】
＜Ｂ．実施の形態２＞
＜Ｂ−１．画像表示装置の構成＞
図１０は、本発明の実施の形態２に係る画像表示装置の構成を示すブロック図である。本実施の形態２に係る画像表示装置は、上述の実施の形態１に係る画像処理装置において、画像処理装置３の替わりに画像処理装置１３を備えるものである。他の構成要素に関しては、実施の形態１に示すものと同様であるので、説明を省略する。
【０１３７】
＜Ｂ−１−１．画像処理装置１３の構成＞
画像表示装置における画像処理装置１３の構成について、以下説明する。
【０１３８】
本実施の形態２に係る画像処理装置１３は、受信部２からの出力映像信号Ｄｂを入力される映像信号対策部６及び映像特徴検出部としての領域分割映像特徴検出部１７と、領域分割映像特徴検出部１７を介して映像信号対策部６に出力する映像変化検出部としての領域分割映像変化検出部１９とを備える。映像信号対策部６は、受信部２からの信号が入力される対策実行部５と、領域分割映像変化検出部１９からの信号が入力される対策制御部４を備える。
【０１３９】
映像特徴検出部としての領域分割映像特徴検出部１７は、映像信号Ｄｂに含まれる映像情報を元にして、各１フレーム分の映像情報を１つ以上の領域に分割し、領域毎の領域分割特徴信号としての領域分割映像特徴値Ｐａを算出して、映像変化検出部としての領域分割映像変化検出部１９に出力する。
【０１４０】
このとき映像信号Ｄｂの分割数をｎとして、分割された映像信号を映像信号Ｄｂａ（ｎ）と表す。ｎが多いほど、処理に要する計算量が必要になるが、より詳細な特徴を検出することができる。
【０１４１】
映像変化検出部としての領域分割映像変化検出部１９は、領域毎の領域分割特徴信号としての領域分割映像特徴値Ｐａを元にして、領域分割映像特徴値Ｐａの短期間における一定回数以上の変化を検出した場合に、領域毎の制御値Ｃｒｎを算出し、領域毎の制御値Ｃｒｎが一定閾値を超えた場合に、映像信号Ｄｂを危険映像であると判断し、映像信号Ｄｂの危険性の有無、人体に与える影響の種類等の情報を含む制御信号としての制御値Ｃｒを対策制御部４に出力する。
【０１４２】
対策制御４は、対策実行部５が映像信号Ｄｂに対して行う処置内容を示す対策指示値Ｐｒを制御値Ｃｒに基づいて算出し、対策実行部５に出力する。
【０１４３】
一方、対策実行部５は、入力された対策指示値Ｐｒが対策実行を指示する内容である場合（すなわち、映像信号Ｄｂが危険映像であると判断された場合）に、映像信号Ｄｂに対し処置を行い、危険映像が人体に与える影響を削減あるいは無効化し、処置後の信号を映像信号Ｄｃとして表示部１０に出力する。
【０１４４】
＜Ｂ−１−２．領域分割映像特徴検出部１７の構成＞
前述の画像処理装置１３における、映像特徴検出部としての領域分割映像特徴検出部１７の構成について以下説明する。
【０１４５】
図１１は、図１０で示した領域分割映像特徴検出部１７の一内部構成例の詳細を示すブロック図である。図１１に示されるように、本実施の形態２の画像表示装置における領域分割映像特徴検出部１７は、領域分割部１７８と、領域分割部１７８からの信号が入力される映像特徴検出部１７９とを備えている。
【０１４６】
図１１の領域分割映像特徴検出部１７は実施の一例であり、領域分割映像特徴検出部１７は、映像信号Ｄｂを基にして、領域分割映像特徴値Ｐａが出力可能な構成であればどのようなものでもよい。
【０１４７】
また映像特徴検出部１７９は、領域分割部１７８からの信号が入力されるヒストグラム算出域決定部１７０及び、ヒストグラム算出域決定部１７０からの出力を入力するヒストグラム算出部１７１及び、ヒストグラム算出部１７１からの出力を入力するヒストグラム解析部１７３及び、ヒストグラム解析部１７３からの出力を入力する特徴判定部１７５を有している。なお図１１の構成は一例であり、映像特徴検出部１７は本構成に限定されるものではない。
【０１４８】
図１１で示した例では、受信部２から得られ、色相情報Ｈ、彩度情報Ｓ、明度情報Ｖを含む映像信号Ｄｂは、領域分割部１７８に入力される。本実施の形態２では色空間の例として、ＨＳＶ色空間を利用する。
【０１４９】
図１１で示した例において、入力映像信号Ｄｂがインターレース信号の場合は、２フィールド分を１フレーム分の映像信号として、領域分割部１７８により変換を行い、新しい映像信号を求める。このように領域分割部１７８において、ヒストグラム算出域決定部１７０で処理を行うための前処理を行っても良い。
【０１５０】
他の前処理の例として、映像信号ＤｂがＲＧＢ信号等の、色相情報Ｈ、彩度情報Ｓ、明度情報Ｖと異なった表色系で示されている際、既知の計算式により色相情報Ｈ、彩度情報Ｓ、明度情報Ｖへと変換することも考えられる。
【０１５１】
領域分割部１７８は、１フレーム分の映像信号Ｄｂから予め規定されたｎ個の領域に分割し、分割された領域における映像信号を、映像信号Ｄｂａとしてヒストグラム算出域決定部１７０へと出力する。以降、分割された映像信号Ｄｂａに対する処理は、各映像信号Ｄｂａ（ｎ）に対して行われる。
【０１５２】
本実施の形態２における映像特徴検出部１７９は、実施の形態１の映像特徴検出部７において映像信号Ｄｂを入力とする代わりに分割された映像信号Ｄｂａを入力とし、映像信号Ｄｂの特徴を表す映像特徴値Ｐｓを出力する代わりに映像信号Ｄｂａの特徴を表す領域分割映像特徴値Ｐａを出力する点において異なっているが、同様の機能を果たしている。しかし、本実施の形態２においては、実施の形態１とは異なる例を利用する。そのため、本実施の形態２において記載される映像特徴検出部１７９の構成は、実施の形態１においても利用することができるし、本実施の形態１の構成を、本実施の形態２において利用することもできる。
【０１５３】
＜Ｂ−２．画像処理装置１３の動作＞
本実施の形態２に係る映像信号対策部６は、実施の形態１と同じものであり、実施の形態１で説明した動作と同じ動作を行うため、その詳細な動作説明は省略する。
【０１５４】
以下では、領域分割映像特徴検出部１７と、領域分割映像変化検出部１９の動作について、それぞれ説明していく。
【０１５５】
＜Ｂ−２−１．領域分割映像特徴検出部１７の動作＞
画像処理装置１３における、領域分割映像特徴検出部１７の動作について、以下説明する。
【０１５６】
領域分割映像特徴検出部１７は、領域分割部１７８と、映像特徴検出部１７９とを備えている。
【０１５７】
図１２は、領域分割部１７８において行われる映像信号Ｄｂの領域分割例である。図１２の例では、映像信号Ｄｂを９個の領域を面積的に分割し、映像信号Ｄｂａ（１）〜映像信号Ｄｂａ（９）を映像信号Ｄｂａとして映像特徴検出部１７９に備えられたヒストグラム算出域決定部１７０に出力している。
【０１５８】
本例では映像信号Ｄｂを不均等に分割しているが、均等に分割してもかまわない。また、映像信号Ｄｂの分割数ｎはいくつでもよい。分割数ｎとその分割領域の決定は、入力信号のサイズや映像中に含まれる黒帯の面積等の条件により調整される。
【０１５９】
映像特徴検出部１７９に備えられたヒストグラム算出領域決定部１７０は、入力された１フレーム分の領域毎に分割された映像信号Ｄｂａから、さらに、明度情報Ｖ、色相情報Ｈ、彩度情報Ｓを抽出する。そして、抽出した色相情報Ｈ、彩度情報Ｓ、明度情報Ｖを利用して、色空間を複数の色領域Ｄｂａｎに分割し、分割した色領域の範囲に関する色領域情報値Ｄｂａｎを、分割された領域における映像信号Ｄｂａとともに、映像特徴検出部１７９に備えられたヒストグラム算出部１７１に出力する。
【０１６０】
出力される色領域情報値Ｄｂａｎの例としては、それぞれの領域を指示する色相情報Ｈ、彩度情報Ｓ、明度情報Ｖ等が挙げられる。
【０１６１】
図１３は色空間の全体図を表したものである。分割される色空間の個数をｍ個とし、映像信号Ｄｂａ（ｎ）を複数の分割領域Ｄｂａｎ（ｎ，ｍ）に分割する例を図１４に示す。
【０１６２】
図１４は図１３の色空間を色相情報Ｈ、彩度情報Ｓ、明度情報Ｖを利用して分割した一例であり、分割領域Ｄｂａｎ（ｎ，１）〜Ｄｂａｎ（ｎ，９）の９領域に分割している。本例では、彩度情報Ｓがｒ１以下である領域と、ｒ１以上である領域に分割している。ｒ１以下である領域に関して、明度情報Ｖをｒ３，ｒ４，ｒ５の長さで分割し、Ｄｂａｎ（ｎ，１）〜Ｄｂａｎ（ｎ，３）を作成している。ｒ１以上である領域に関して、色相情報Ｈを各々６０度ずつに分割し、分割領域Ｄｂａｎ（ｎ，４）〜Ｄｂａｎ（ｎ，９）を作成している。
【０１６３】
分割領域Ｄｂａｎ（ｎ，１）は、彩度情報Ｓが小さい値であるため、鮮やかな色合いのない白黒に近い映像の領域である。そのため、分割領域Ｄｂａｎ（ｎ，１）は白色に近く、分割領域Ｄｂａｎ（ｎ，３）は黒色に近い映像になる。
【０１６４】
分割領域Ｄｂａｎ（ｎ，４）は色相角０度から６０度を表し、赤から黄へと変化する色合い、分割領域Ｄｂａｎ（ｎ，５）は色相角６０度から１２０度を表し、黄から緑へと変化する色合い、分割領域Ｄｂａｎ（ｎ，６）は色相角１２０度から１８０度を表し、緑から水色へと変化する色合い、分割領域Ｄｂａｎ（ｎ，７）は色相角１８０度から２４０度を表し、水色から青へと変化する色合い、分割領域Ｄｂａｎ（ｎ，８）は色相角２４０度から３００度を表し、青から紫へと変化する色合い、分割領域Ｄｂａｎ（ｎ，９）は色相角３００度から３６０度を表し、紫から赤へと変化する色合いを表す。
【０１６５】
図１４に示す例では、分割領域Ｄｂａｎ（ｎ，１）〜Ｄｂａｎ（ｎ，９）の９領域に分割しているが、図１４に示す例より、多くても少なくてもかまわない。また、分割にあたり、色相情報Ｈ、彩度情報Ｓ、明度情報Ｖのうち、一部の情報を省略してもよい。精度は落ちるものの、高速な演算が可能になる。
【０１６６】
色空間の分割においては、色相情報Ｈ、彩度情報Ｓ、明度情報Ｖは均一になるように分割を行っても、不均一になるように分割を行ってもよい。すなわち、領域を分割する場合には、その分割数ｍや範囲は自由に設定しても良い。
【０１６７】
映像特徴検出部１７９に備えられたヒストグラム算出部１７１は、映像信号Ｄｂａを元として、入力された色領域情報値Ｄｂａｎにおける各々の特徴情報Ｈａを算出し、映像特徴検出部１７９に備えられたヒストグラム解析部１７３へと出力する。
【０１６８】
図１５は、ヒストグラム算出部１７１が生成する特徴情報Ｈａの一例を示したものである。図１５で示した例では、図１４の例を利用し、特徴情報Ｈａとして、１フレーム分の映像信号Ｄｂａの分割領域Ｄｂａｎ（ｎ，ｍ）に対する画素数を算出し、ヒストグラムを生成している。以下、ヒストグラム算出部１７１により生成された映像信号Ｄｂａにおける各色領域Ｄｂａｎ（ｎ，ｍ）のヒストグラムを規定した情報を色ヒストグラムＨＡと呼ぶ。
【０１６９】
図１５で示した例において、図中の横軸は分割領域Ｄｂａｎ（ｎ，ｍ）を示し、縦軸は度数、つまり１フレーム分の映像信号Ｄｂａの分割領域Ｄｂａｎ（ｎ，ｍ）に対する画素数を示している。以降、分割領域Ｄｂａｎ（ｎ，ｍ）に対する画素数をＤｂａｄ（ｎ，ｍ）と表す。
【０１７０】
本例では色相ヒストグラムの度数は１フレーム分の映像信号Ｄｂａの分割領域Ｄｂａｎ（ｎ，ｍ）に対する画素数で表しているが、累積画素数として表示してもよい。また、画素数ではなく、全体の画素数に占める割合として、１０％等の表示を行ってもよい。
【０１７１】
図１６はヒストグラム解析部１７３による特徴値Ｈａｃの生成例を示す説明図である。同図に示すように、ヒストグラム解析部１７３は色ヒストグラムＨＡの各度数Ｄｂａｄ（ｎ，ｍ）が、所定の判定閾値ＴＤｂｈ２より小さい値であるか、閾値ＴＤｂｈ２とそれより大きな所定の閾値である閾値ＴＤｂｈ１値の間の値であるか、判定閾値ＴＤｂｈ１より大きい値であるかを判定し、３つの分類情報値、低・中・高のうち、いずれか一を規定した判定情報値Ｄｂａｃ（ｎ，ｍ）を算出する。
【０１７２】
図１６に表す例では、Ｄｂａｄ（ｎ，１）、Ｄｂａｄ（ｎ，９）は、所定の閾値ＴＤｂｈ１より大きい値であるため「高」と指示する値が入力される。また、Ｄｂａｄ（ｎ，２）、Ｄｂａｄ（ｎ，８）は、閾値ＴＤｂｈ２と閾値ＴＤｂｈ１値の間の値であるため「中」と指示する値が入力される。Ｄｂａｄ（ｎ，３）〜Ｄｂａｄ（ｎ，７）は所定の判定閾値ＴＤｂｈ２より小さい値であるため「低」と指示する値が入力される
なお、本例では所定の閾値は二種類であり高中低の３通りに分類したが、３通り以外に分類してもでもよい。すなわち閾値は二種類より多くても、少なくてもかまわない。閾値を多く調整することにより、より詳細な分類が可能になる。また、閾値の数を少なくすることにより、処理量を低減することができる。
【０１７３】
また、分割領域Ｄｂａｎ（ｎ，ｍ）によって閾値の値を変えてもかまわない。例えば、Ｄｂａｎ（ｎ，１）に関しては、所定の閾値ＴＤｂｈ１のみにより判断し、Ｄｂａｎ（ｎ，２）は、所定の閾値ＴＤｂｈ１及び、別の所定の閾値ＴＤｂｈ２、ＴＤｂｈ３により判定情報値Ｄｂａｃ（ｎ，ｍ）を求めるという手法も取ることができる。このように、分割領域Ｄｂａｎ（ｎ，ｍ）によって閾値の値を変えることにより、詳細に解析を行いたい領域を重点的に解析し、詳細な解析が不要な領域の解析精度を下げる等の効果を得ることができる。
【０１７４】
ヒストグラム解析部１７３は、分割領域Ｄｂａｎ（ｎ，ｍ）における判定情報値Ｄｂａｃ（ｎ，ｍ）を、色特徴値Ｈａｃとして映像特徴検出部１７９に備えられた特徴判定部１７５に出力する。
【０１７５】
すなわち図１６に表す例では、Ｄｂａｃ（ｎ，１）＝Ｄｂａｃ（ｎ，９）＝「高」、Ｄｂａｃ（ｎ，２）＝Ｄｂａｃ（ｎ，８）＝「中」、Ｄｂａｃ（ｎ，３）＝Ｄｂａｃ（ｎ，４）＝Ｄｂａｃ（ｎ，５）＝Ｄｂａｃ（ｎ，６）＝Ｄｂａｃ（ｎ，７）＝「低」を意味する色特徴値Ｈａｃが、特徴判定部１７５に出力される。
【０１７６】
なお、色特徴値Ｈａｃを出力するにあたって、分割領域Ｄｂａｎ（ｎ，ｍ）と判定情報値Ｄｂａｃ（ｎ，ｍ）のうち、いずれか一方を規定することにより、分割領域Ｄｂａｎ（ｎ，ｍ）のみ、あるいは、判定情報値Ｄｂａｃ（ｎ，ｍ）のみを出力してもかまわない。
【０１７７】
たとえば、判定情報値Ｄｂａｃ（ｎ，ｍ）＝「高」である分割領域Ｄｂａｎ（ｎ，ｍ）を出力する方法が考えられる。図１６の例に戻ると、Ｄｂａｃ（ｎ，ｍ）＝「高」である分割領域Ｄｂａｎ（ｎ，ｍ）として、分割領域Ｄｂａｎ（ｎ，１）、Ｄｂａｎ（ｎ，９）が色特徴値Ｈａｃとして特徴判定部１７５に出力される。
【０１７８】
また、他の例として、分割領域Ｄｂａｎ（ｎ，１）の判定情報値Ｄｂａｃ（ｎ，１）を出力するという、分割領域を指定した方法が考えられる。図１６の例に戻ると、分割領域Ｄｂａｎ（ｎ，１）の判定情報値として、判定情報値「高」が色特徴値Ｈａｃとして特徴判定部１７５に出力される。
【０１７９】
なお、必要により、判定情報値のうち、一部のみを色特徴値Ｈａｃとして出力し、残りの判定情報値を出力しないという手段を取ることもできる。このように、出力する情報を制限することにより、情報量を削減し、計算量を減らすことができる。
【０１８０】
なお、本例では、色特徴値Ｈａｃを閾値により「高」・「中」・「低」と３種類に切り分けることで、色特徴を保持したまた情報量を削減しているが、切り分けを行う個数は、３以外でもかまわない。また、色ヒストグラムＨＡの各度数Ｄｂａｄ（ｎ，ｍ）をそのまま出力してもよい。
【０１８１】
特徴判定部１７５は、ヒストグラム解析部１７３から出力される色特徴値Ｈａｃの組み合わせ内容に基づき、映像の特徴を判定し、領域分割映像特徴値Ｐａとして、領域分割映像変化検出部１９に出力する。
【０１８２】
図１７は、特徴判定部１７５に入力された色特徴値Ｈａｃの組み合わせに対し、映像特徴を７種類に分類した一例である。説明の簡単化のため、本例では、前述の例より色特徴値Ｈａｃを少なくし、Ｄｂａｃ（ｎ，１）、Ｄｂａｃ（ｎ，３）、Ｄｂａｃ（ｎ，４）、Ｄｂａｃ（ｎ，５）、Ｄｂａｃ（ｎ，６）を利用して、映像特徴毎に７種類へと分類を行い、領域分割映像特徴値Ｐａ（ｎ，ｉ）を出力している。本例では特徴を７種類に分類しているが、分類を行う特徴はいくつでもよい。
【０１８３】
また、本例では色相や輝度に関する特徴へと分類しているが、分類基準はそれに限ったものではなく、映像信号Ｄｂａの特徴を表すものであればどのようなものでもかまわない。
【０１８４】
特徴判定部１７５による特徴判定の組み合わせ内容は、従来の危険映像や、人間の視覚特性データを元に任意に作成することが出来る。図１７の例では、Ｄｂａｃ（ｎ，１）、Ｄｂａｃ（ｎ，３）、Ｄｂａｃ（ｎ，４）、Ｄｂａｃ（ｎ，５）が「低」であり、Ｄｂａｃ（ｎ，６）が「高」であれば、Ｐａ（ｎ，４）「グリーン」を指示する領域分割映像特徴値Ｐａが領域分割映像変化検出部１９に出力される。なお、本例と異なり、特徴値Ｈａｃの内容を増やすことにより、より細かい特徴分類が可能になる。これといった特徴的を持たない映像である。
【０１８５】
このように、特徴判定部１７５では、映像信号から得られた色相情報Ｈ、彩度情報Ｓ、輝度情報Ｖを基にして、特徴を判定することができる。特徴の判定は分割された領域における映像信号Ｄｂａ（ｎ）に対してそれぞれ行われるため、各分割領域Ｄｂａｎ（ｎ，ｍ）における特徴を得ることができる。
【０１８６】
本例における領域分割映像特徴検出部１７では、入力される映像信号Ｄｂは１フレームの映像信号であるが、１フレームの映像信号ではなく、複数フレームの映像信号を利用してもよい。たとえば、フレーム補間技術に見られるように、複数フレーム分の映像信号を利用して、新しい映像信号を作成した場合等において、複数フレームを元にして作成した新しい映像信号を元に、解析を行ってもかまわない。
【０１８７】
＜Ｂ−２−２．領域分割映像変化検出部１９の動作＞
画像処理装置１３に備えられた、映像変化検出部としての領域分割映像変化検出部１９の動作について、以下説明する。
【０１８８】
領域分割映像変化検出部１９は、領域分割映像特徴検出部１７から出力される領域分割映像特徴値Ｐａを解析し、短期間における一定回数以上の変化を、一定領域以上において検出した場合に、映像信号Ｄｂを危険映像であると判断し、映像信号Ｄｂの危険性の有無、人体に与える影響の種類等の情報を含む制御信号としての制御値Ｃｒを映像信号対策部６の対策制御部４に出力する。
【０１８９】
短期間における一定回数以上の変化を、Ｔｆフレーム以内に領域分割映像特徴値ＰａがＴｔ回以上、推移することとする。また、短期間における一定領域以上の変化を、Ｔａ個以上とする。Ｔｆフレーム以内において、Ｔｔ回以上の変化が検出された領域が、Ｔａ個以上である場合、制御値Ｃｒが出力される。本実施の形態２では、Ｔｆ、Ｔｔ、Ｔａが検出パラメータとなる。
【０１９０】
各映像信号Ｄｂａ（ｎ）において、Ｔｆフレーム以内に領域分割映像特徴値ＰａがＴｔ回以上、推移した場合には制御信号としての制御値Ｃｒｎ（ｎ）を算出する。任意の制御信号としての制御値Ｃｒｎ（ｘ）が算出された映像信号Ｄｂａ（ｎ）がＴａ個以上である場合、制御信号としての制御値Ｃｒｎ（ｘ）を、制御値Ｃｒとして映像信号対策部６の対策制御部４に出力する。
【０１９１】
Ｔａ個以上の制御信号としての制御値Ｃｒｎ（ｘ）を算出する映像信号Ｄｂａ（ｎ）が複数存在する場合、より大きな面積を占める領域を取る方法、あるいはより多くの数を持つ領域を取る方法等が考えられる。
【０１９２】
本例において、検出パラメータＴｆ・Ｔｔ・Ｔａともに一定である必要はなく、領域分割映像特徴値Ｐａの変化に応じて、調整してもよい。また、領域分割映像特徴値Ｐａの変化によっては、危険映像ではないと判断する場合も考えられる。ただし、本例においては、出力される制御信号としての制御値Ｃｒは映像信号Ｄｂに対して一意に決まるため、各映像信号Ｄｂａ（ｎ）における映像変化を表す制御信号としての制御値Ｃｒｎ（ｎ）は同時に決定するのが望ましい。
【０１９３】
実施の形態１における映像変化検出部９の動作例は、図７、８、９に示した例で表されたが、本実施の形態２における領域分割映像変化検出部１９も同様に、図７、８、９に示した例を利用することができる。ただし、映像特徴値Ｐｓの代わりに、領域分割映像特徴値Ｐａを入力し、制御値Ｃｒの代わりにＣｒｎを入力する。
【０１９４】
そのため、短期間における推移に関しては、同一映像特徴値間のみの推移の場合、同一映像特徴値間以外の推移が含まれている場合、ともに利用することができる。また、映像特徴値によっては、危険映像と判断しないという判定を行うこともできる。
【０１９５】
領域分割映像変化検出部１９の動作を、図１２で示した分割された映像信号Ｄｂａ（１）〜映像信号Ｄｂａ（９）を利用した例（図１８参照）により説明する。
【０１９６】
図１８に示すように、映像信号Ｄｂａ（１）〜映像信号Ｄｂａ（９）における制御信号としての制御値Ｃｒｎ（ｎ）（ｎ＝１，２，・・・，９）が各々Ｃｒｎ（ａ），Ｃｒｎ（ｂ），Ｃｒｎ（ｃ），Ｃｒｎ（ｄ）で表されている。検出パラメータＴａ＝４とした場合、４個以上の領域を持つＣｒｎ（ｎ）はＣｒｎ（ａ）のみとなり、制御値ＣｒとしてＣｒｎ（ａ）を出力する。
【０１９７】
図１８の例において、検出パラメータＴａ＝３である場合、３個以上の領域を持つＣｒｎ（ｎ）はＣｒｎ（ａ），Ｃｒｎ（ｂ）の２種類存在する。Ｃｒｎ（ａ）は４個、Ｃｒｎ（ｂ）は３個であるので、より多くの数を満たすＣｒｎ（ａ）を制御値Ｃｒとして出力してもよいし、より多くの面積を占めるＣｒｎ（ｂ）を制御値Ｃｒとして出力してもよい。
【０１９８】
なお、本例の検出パラメータＴａは、条件を満たす領域の数として定義しているが、本例で一部触れたように、条件を満たす領域の面積として定義することも可能である。
【０１９９】
領域分割映像変化検出部１９において、映像信号の特徴を検出し、特徴の短期間における推移を検出することにより、危険映像を判断することができる。また、特徴毎に検出パラメータＴｒ、Ｔｆ、Ｔａおよび制御値Ｃｒ（制御値Ｃｒｎ）を変化させることも可能であるため、検出の精度を調整することができる。例えば、高精度の検出が必要である危険映像の検出精度を上げることができる。
【０２００】
また、映像信号の特徴を考慮した制御値Ｃｒを出力することで、危険映像に対して行われる処置を、特徴を反映させた効果的なものとすることができる。
【０２０１】
ここで、準備される制御値Ｃｒ（制御値Ｃｒｎ）は、Ｐａ（ｉ）の組み合わせの数だけ配備してもよいし、映像特徴数と同じ数であってもよい。また、制御値Ｃｒ（制御値Ｃｒｎ）を１種類のみ規定して、危険信号の有無のみを送信してもかまわない。
【０２０２】
また本例と異なり、短期間における推移が２種類以上の領域分割映像特徴値Ｐａ（ｎ，ｉ）にわたる変化である場合にも、各々の検出パラメータＴｆ、Ｔｔ、Ｔａおよび制御値Ｃｒｎを設定してかまわない。
【０２０３】
制御値Ｃｒ（制御値Ｃｒｎ）を、領域分割映像特徴値Ｐａ（ｎ，ｉ）の組み合わせに合わせて出力することより、ある特定の映像特徴から、別の特定の映像特徴への変化を規定することができる。映像信号の特定の特徴変化を一意に決定するのが望ましい場合には、制御値Ｃｒ（制御値Ｃｒｎ）を一意に設定すればよい。
【０２０４】
制御値Ｃｒを映像信号の特徴変化に合わせて作成することで、映像信号対策部６において危険映像に対して行われる処置を、特徴を反映させた効果的なものとすることができる。
【０２０５】
また制御値Ｃｒは領域毎に判定した領域分割映像特徴値Ｐａ（ｎ，ｉ）の変化Ｃｒｎ（ｎ）に基づいて判断しているため、例えば、映像特徴の変化が少ない領域が存在している等の場合に、危険映像の検出精度を向上させる効果が期待できる。
【０２０６】
本例では、領域分割映像特徴値Ｐａの変化に対して、制御値Ｃｒを算出するにあたり、制御値Ｃｒｎを閾値により統合することで、制御値Ｃｒを算出したが、領域分割映像変化検出部１９は分割された領域における映像信号Ｄｂａの領域分割映像特徴値Ｐａを利用して、制御値Ｃｒを算出する構成であればどのような構成でもかまわない。例えば、領域分割映像特徴値Ｐａを元にして、全フレームにおける映像特徴値Ｐｓを算出し、映像特徴値Ｐｓを元にして、制御値Ｃｒを算出する構成等が考えられる。
【０２０７】
制御値Ｃｒを出力中に、現在までに検出された制御値Ｃｒ（Ｂｆ）と異なった映像特徴変化が見られ、新しい制御値Ｃｒ（Ａｆ）が算出された場合、Ｃｒ（Ｂｆ）、Ｃｒ（Ａｆ）のいずれを出力してもかまわない。また、Ｃｒ（Ｂｆ）、Ｃｒ（Ａｆ）の双方が出力されたことを表す別の制御値Ｃｒ（Ｂａ）を新たに出力してもかまわない。
【０２０８】
Ｃｒ（Ａｆ）を出力する構成にした場合には、危険映像の変化をその都度検出し、危険映像の種類に合わせた対応を取ることができる。一方Ｃｒ（Ｂａ）を出力する構成にした場合、危険の種類が頻繁に変化する特徴の危険映像であることが分かるため、危険映像全般に効果がある一般的な処置を取る等の対策が考えられる。
【０２０９】
なお、本例では、映像信号Ｄｂが危険映像であると判断した場合に、制御値Ｃｒを映像信号対策部６に出力しているが、映像信号Ｄｂが危険映像ではない場合にも、制御値Ｃｒを出力する構成にしてもかまわない。この場合には、制御値Ｃｒは映像信号Ｄｂに関する対応が不要であることを意味する情報や、映像信号Ｄｂの変化が危険ではないことを意味する情報等を出力すればよい。
【０２１０】
本例と異なり、検出パラメータＴｆ、Ｔｔ、Ｔａおよび制御値Ｃｒをすべて同値に設定してもかまわない。ただし、この場合は特徴に合わせた検出を行うことができなくなり、処置の効果は減少する。
【０２１１】
領域分割映像変化検出部１９が、危険映像を検出するまでの数フレームに関しては、検出が完了していないため危険映像がそのまま出力されてしまうが、危険映像は続けて視聴することにより、人体に強い影響を与える傾向にあるため、検出に必要な短時間において、人体に与える影響は少ない。検出までの時間を短縮する場合には、検出パラメータＴｆ、Ｔｔ、Ｔａを小さく設定すればよい。検出時間は短縮できるが、検出精度が多少低下することになる。
【０２１２】
領域分割映像変化検出部１９による制御値Ｃｒの出力は、領域分割映像特徴値Ｐａの変化が終了するまで続けられる。なお、領域分割映像特徴値Ｐａの変化が終了した後、一定時間経過や映像コンテンツの終了等、そのほかの条件により制御値Ｃｒの出力を停止させてもかまわない。
【０２１３】
ただし前述のように、Ｐａの変化が終了すること以外の条件により制御値Ｃｒの出力を停止させた場合、危険映像ではない映像信号に対しても処置が行われることになり、コンテンツの内容が損なわれる可能性がある。一方、同一コンテンツには同じような危険映像が再度含まれる可能性もあり、再度危険映像が検出された際には、危険映像検出までの数フレームが不要となるため、効果も期待できる。
【０２１４】
＜Ｂ−３．効果＞
この発明にかかる本実施の形態２によれば、画像表示装置において、映像特徴検出部としての領域分割映像特徴検出部１７は、映像信号を複数の領域に分割し、分割した領域の映像情報から映像特徴を検出し、分割した領域ごとに領域分割特徴信号Ｐａを出力し、映像変化検出部としての領域分割映像変化検出部１９は、領域分割特徴信号としての領域分割映像特徴値Ｐａが所定時間内に一定回数以上変化した場合、領域分割特徴信号としての領域分割映像特徴値Ｐａごとに制御信号としての制御値Ｃｒｎを出力し、映像信号対策部６は、前記分割した領域ごとに、制御値Ｃｒｎを解析することで、１フレーム分の映像信号より得られる映像特徴に基づいて、映像特徴の短期間における変化を検出することで、危険映像を検出することができる。また、危険映像の特徴を得ることにより、危険映像の特徴に合わせた処置を行うことができる。ここで、分割領域の各々より映像情報を取得しているため、映像信号全体の特徴のみならず、領域毎の特徴を得ることができる。そのため、領域を分割せずに解析するのと比較して、より詳細な特徴が得られ、映像信号の特徴を考慮した高精度かつ適応的な危険映像の検出が可能である。また、一部の領域のみ変化していないような危険映像の検出精度も向上する。
【０２１５】
本実施の形態２に係る画像表示装置は、映像信号から、危険映像を検出する手法として、映像表示装置に限らず映像に関わる他分野での利用も考えられる。他の分野での利用として、例えば、ハードディスクやＤＶＤ等の映像レコーダー等の映像記録装置が上げられる。
【０２１６】
なお、映像記録装置において、これらの応用を行った場合、リアルタイムに視聴する場合と異なり、予め解析を行っておくことにより、危険映像の検出までに要する数フレームが不要となり、より安全な映像を提供することができる。予め検出を行う場合には、危険映像に対する処置に関しても同様に、予め行っておくことができる。
【０２１７】
一方、本実施の形態と同様なことを、上述の特許文献２、特許文献３に記載の技術を用いて行うには、予め内容種が既知であるマルチメディアデータが保持されている必要がある。そのため、初見の番組等では分類を行うことができない。
【０２１８】
上述の特許文献２、特許文献３に記載の技術では、輝度信号、色相信号、色差信号における閾値のみで危険映像を一様に検出している。そのため、危険映像の特徴を得ることができず、特徴に合わせた処置を行うことができない。また、検出の精度が劣っており、詳細な検出を行うことができない。
【０２１９】
なお、本実施の形態２に係る画像表示装置では、ＨＳＶ色空間を例に危険映像を検出したが、たとえばＲＧＢ色空間、ＣＭＹ色空間、ＨＬＳ色空間、ＹＣｂＣｒ色空間、Ｌａｂ表色系、Ｌ＊ａ＊ｂ＊表色系、Ｌ＊ｕ＊ｖ＊表色系、等その他のあらゆる色空間や表色系に関しても適応することができる。
【０２２０】
＜Ｃ．実施の形態３＞
＜Ｃ−１．画像表示装置の構成＞
図１９は、本発明の実施の形態３に係る画像表示装置の構成を示すブロック図である。本実施の形態３に係る画像表示装置は、上述の実施の形態２に係る画像処理装置において、画像処理装置１３の替わりに画像処理装置２３を備えるものである。他の構成要素に関しては、実施の形態１に示すものと同様であるので、説明を省略する。
【０２２１】
＜Ｃ−１−１．画像処理装置２３の構成＞
画像表示装置における画像処置装置２３の構成について、以下説明する。
【０２２２】
本実施の形態３に係る画像処理装置２３は、受信部２からの出力映像信号Ｄｂを入力される映像信号対策部１６及び領域分割映像特徴検出部１７と、領域分割映像特徴検出部１７を介して映像信号対策部１６に出力する領域分割映像変化検出部２９とを備える。映像信号対策部１６は、受信部２からの信号が入力される対策実行部１５と、領域分割映像変化検出部２９からの信号が入力される対策制御部１４を備える。
【０２２３】
領域分割映像特徴検出部１７は、映像信号Ｄｂに含まれる映像情報を元にして、各１フレーム分の映像情報を１つ以上の領域に分割し、領域毎の領域分割映像特徴値Ｐａを算出して、領域分割映像変化検出部２９に出力する。この本実施の形態３に係る領域分割映像特徴検出部１７は、実施の形態２と同じものであり、実施の形態２で説明した動作と同じ動作を行うため、それらの詳細な動作説明は省略する。
【０２２４】
領域分割映像変化検出部２９は、領域毎の領域分割映像特徴値Ｐａを元にして、領域分割映像特徴値Ｐａの短期間における一定回数以上の変化を検出した場合に、領域毎の制御値Ｃｒｎを算出し、領域毎の制御値Ｃｒｎが一定閾値を超えた場合に、映像信号Ｄｂを危険映像であると判断し、映像信号Ｄｂの危険性の有無、人体に与える影響の種類等の領域毎における情報を含む制御信号としての制御値Ｃｒａを対策制御部１４に出力する。
【０２２５】
対策制御１４は、対策実行部２５が映像信号Ｄｂに対して行う処置内容を示す対策指示値Ｐｒａを制御値Ｃｒａに基づいて算出し、対策実行部５に出力する。
【０２２６】
一方、対策実行部１５は、入力された対策指示値Ｐｒが対策実行を指示する内容である場合（すなわち、映像信号Ｄｂが危険映像であると判断された場合）に、映像信号Ｄｂに対して領域毎に処置を行い、危険映像が人体に与える影響を削減あるいは無効化し、処置後の信号を映像信号Ｄｃとして表示部１０に出力する。
【０２２７】
＜Ｃ−２．画像処理装置３の動作＞
前述の画像表示装置において、画像処理装置２３の動作について、構成要素ごとに以下説明する。
【０２２８】
＜Ｃ−２−１．領域分割映像変化検出部２９の動作＞
前述の画像処理装置２３における、映像変化検出部としての領域分割映像変化検出部２９の動作について、以下説明する。
【０２２９】
本実施の形態３では実施の形態２と同様に、短期間における一定回数以上の変化を、Ｔｆフレーム以内に領域分割映像特徴値ＰａがＴｔ回以上、推移することとする。また、Ｔｆフレーム以内において、Ｔｔ回以上の変化が検出された領域が、Ｔａ個以上である場合、映像変化検出部としての領域分割映像変化検出部２９は領域毎の制御値Ｃｒａ（ｎ）が出力される。
【０２３０】
分割された映像信号Ｄｂａ（ｎ）において、Ｔｆフレーム以内に分割された映像信号の領域分割映像特徴値ＰａがＴｔ回以上、推移した場合には制御信号としての制御値Ｃｒａ（ｎ）を算出する。任意の１種以上の制御信号としての制御値Ｃｒａ（ｙ）が算出された映像信号Ｄｂａ（ｎ）がＴａ個以上である場合、制御信号としての制御値Ｃｒａ（ｎ）を、制御値Ｃｒａとして映像信号対策部１６の対策制御部１４に出力する。本例においてＣｒａ（ｙ）は１種類の制御信号である必要はなく、複数の制御信号により判断することも可能である。
【０２３１】
本例において、検出パラメータＴｆ・Ｔｔ・Ｔａともに一定である必要はなく、領域分割映像特徴値Ｐａの変化に応じて、調整してもよい。また、領域分割映像特徴値Ｐａの変化によっては、危険映像ではないと判断する場合も考えられる。ただし、映像信号対策部１６で行われる画質調整に同期を取る上で、各映像信号Ｄｂａ（ｎ）における映像変化を表す制御信号としての制御値Ｃｒａ（ｎ）は同時に決定するのが望ましい。同期を取らない場合には、分割された領域映像信号Ｄｂａ（ｎ）毎に異なったタイミングにおいて映像に対する対策が取られるが、このような形で危険映像への対策を行うことも可能である。
【０２３２】
実施の形態１における映像変化検出部９の動作例は、図７、８、９に示した例で表されたが、本実施の形態３における映像変化検出部としての領域分割映像変化検出部２９も同様に、図７、８、９に示した例を利用することができる。ただし、映像特徴値Ｐｓの代わりに、領域分割映像特徴値Ｐａを入力し、制御値Ｃｒの代わりにＣｒａを入力する。
【０２３３】
そのため、短期間における推移に関しては、同一映像特徴値間のみの推移の場合、同一映像特徴値間以外の推移が含まれている場合、ともに利用することができる。また、映像特徴値によっては、危険映像と判断しないという判定を行うこともできる。
【０２３４】
領域分割映像変化検出部２９の動作を、図１２で示した分割された映像信号Ｄｂａ（１）〜映像信号Ｄｂａ（９）を利用した例を用いてさらに説明する。
【０２３５】
図２０に示すように、映像信号Ｄｂａ（１）〜映像信号Ｄｂａ（９）における制御信号としての制御値Ｃｒａ（ｎ）（ｎ＝１，２，・・・，９）が各々Ｃｒａ（ａ），Ｃｒａ（ｂ），Ｃｒａ（ｎｏｐ）で表されている。ここでＣｒａ（ｎｏｐ）は映像信号Ｄｂａ（ｎ）の変化が危険ではないことを意味する情報とし、領域に危険信号が含まれており、検出が必要なＣｒａ（ｙ）をＣｒａ（ａ），Ｃｒａ（ｂ）とする。
【０２３６】
図２１に示すように、検出パラメータＴａ＝６とした場合、Ｃｒａ（ａ），Ｃｒａ（ｂ）を合わせて７個の領域を占めているため、制御値ＣｒａとしてＣｒａ（１）＝Ｃｒａ（２）＝Ｃｒａ（３）＝Ｃｒａ（ａ）、Ｃｒａ（５）＝Ｃｒａ（６）＝Ｃｒａ（８）＝Ｃｒａ（９）＝Ｃｒａ（ｂ）、Ｃｒａ（４）＝Ｃｒａ（７）＝Ｃｒａ（ｎｏｐ）を出力する。
【０２３７】
本例において、検出パラメータＴａ＝８としていた場合、危険信号として認識はせずに制御値Ｃｒａは出力されない、あるいは制御値Ｃｒａは映像信号Ｄｂに関する対応が不要であることを意味する情報や、映像信号Ｄｂの変化が危険ではないことを意味する情報等を出力することになる。本例では、Ｃｒａ（ｎｏｐ）が出力される。
【０２３８】
なお、本例の検出パラメータＴａは、条件を満たす領域の数として定義しているが、実施の形態２で説明したように、条件を満たす領域の面積として定義することも可能である。
【０２３９】
領域分割映像変化検出部２９において、映像信号の特徴を検出し、特徴の短期間における推移を検出することにより、危険映像を判断することができる。また、特徴毎に検出パラメータＴｒ、Ｔｆ、Ｔａおよび制御値Ｃｒａを変化させることも可能であるため、検出の精度を調整することができる。例えば、高精度の検出が必要である危険映像の検出精度を上げることができる。
【０２４０】
また、映像信号の特徴を考慮した制御値制御値Ｃｒａを出力することで、危険映像に対して行われる処置を、特徴を反映させた効果的なものとすることができる。
【０２４１】
ここで、準備される制御値制御値Ｃｒａは、Ｐａ（ｉ）の組み合わせの数だけ配備してもよいし、映像特徴数と同じ数であってもよい。また、制御値Ｃｒａを１種類のみ規定して、危険信号の有無のみを送信してもかまわない。
【０２４２】
また本例と異なり、短期間における推移が２種類以上の領域分割映像特徴値Ｐａ（ｎ，ｉ）にわたる変化である場合にも、各々の検出パラメータＴｆ、Ｔｔ、Ｔａおよび制御値Ｃｒａを設定してかまわない。
【０２４３】
制御値Ｃｒａを、領域分割映像特徴値Ｐａ（ｎ，ｉ）の組み合わせに合わせて出力することより、ある特定の映像特徴から、別の特定の映像特徴への変化を規定することができる。映像信号の特定の特徴変化を一意に決定するのが望ましい場合には、制御値Ｃｒａを一意に設定すればよい。
【０２４４】
制御値Ｃｒａを映像信号の特徴変化に合わせて作成することで、映像信号対策部１６において危険映像に対して行われる処置を、特徴を反映させた効果的なものとすることができる。
【０２４５】
また制御値Ｃｒａは領域毎に判定した領域分割映像特徴値Ｐａ（ｎ，ｉ）の変化Ｃｒａ（ｎ）に基づいて判断しているため、例えば、映像特徴の変化が少ない領域が存在している等の場合に、危険映像の検出精度を向上させる効果が期待できる。
【０２４６】
しかも、危険映像に対する処置を、領域分割した映像信号Ｄｂａに対して行うことができるため、領域毎の危険映像の特徴に合わせた対処をより効果的に行うことができる。
【０２４７】
領域分割映像変化検出部２９は分割された領域における映像信号Ｄｂａの領域分割映像特徴値Ｐａを利用して、分割された映像信号毎の制御値Ｃｒａを算出する構成であればどのような構成でもかまわない。
【０２４８】
制御値Ｃｒａを出力中に、現在までに検出された制御値Ｃｒａ（Ｂｆ）と異なった映像特徴変化が見られ、新しい制御値Ｃｒａ（Ａｆ）が算出された場合、Ｃｒａ（Ｂｆ）、Ｃｒａ（Ａｆ）のいずれを出力してもかまわない。また、Ｃｒａ（Ｂｆ）、Ｃｒａ（Ａｆ）の双方が出力されたことを表す別の制御値Ｃｒａ（Ｂａ）を新たに出力してもかまわない。
【０２４９】
Ｃｒａ（Ａｆ）を出力する構成にした場合には、危険映像の変化をその都度検出し、危険映像の種類に合わせた対応を取ることができる。一方Ｃｒａ（Ｂａ）を出力する構成にした場合、危険の種類が頻繁に変化する特徴の危険映像であることが分かるため、危険映像全般に効果がある一般的な処置を取る等の対策が考えられる。
【０２５０】
なお、本例では、映像信号Ｄｂａが危険映像であると判断した場合に、制御値Ｃｒａを映像信号対策部１６に出力し、危険映像ではないと判断した場合にも制御値Ｃｒａ（Ｃｒａ（ｎｏｐ））を出力しているが、映像信号Ｄｂａが危険映像ではない場合に、制御値Ｃｒａを出力しない構成にしてもかまわない。
【０２５１】
本例と異なり、検出パラメータＴｆ、Ｔｔ、Ｔａおよび制御値Ｃｒａをすべて同値に設定してもかまわない。ただし、この場合は特徴に合わせた検出を行うことができなくなり、処置の効果は減少する。
【０２５２】
領域分割映像変化検出部２９が、危険映像を検出するまでの数フレームに関しては、検出が完了していないため危険映像がそのまま出力されてしまうが、危険映像は続けて視聴することにより、人体に強い影響を与える傾向にあるため、検出に必要な短時間において、人体に与える影響は少ない。検出までの時間を短縮する場合には、検出パラメータＴｆ、Ｔｔ、Ｔａを小さく設定すればよい。検出時間は短縮できるが、検出精度が多少低下することになる。
【０２５３】
領域分割映像変化検出部２９による制御値Ｃｒａの出力は、領域分割映像特徴値Ｐａの変化が終了するまで続けられる。なお、領域分割映像特徴値Ｐａの変化が終了した後、一定時間経過や映像コンテンツの終了等、そのほかの条件により制御値Ｃｒａの出力を停止させてもかまわない。
【０２５４】
ただし前述のように、Ｐａの変化が終了すること以外の条件により制御値Ｃｒａの出力を停止させた場合、危険映像ではない映像信号に対しても処置が行われることになり、コンテンツの内容が損なわれる可能性がある。一方、同一コンテンツには同じような危険映像が再度含まれる可能性もあり、再度危険映像が検出された際には、危険映像検出までの数フレームが不要となるため、効果も期待できる。
【０２５５】
＜Ｃ−２−２．映像信号対策部１６の動作＞
画像処理装置２３における、映像信号対策部１６の動作について、以下説明する。
【０２５６】
映像信号対策部１６に備えられた対策制御部１４は、制御信号としての制御値Ｃｒａに対応した映像信号Ｄｂａに対する対策指示値Ｐｒａを分割された映像信号の領域毎に選択し、映像信号対策部１６に備えられた対策実行部１５に出力する。対策指示値Ｐｒａは、危険映像の特徴等を基として、自由に調整可能である。
【０２５７】
対策制御部１４から対策実行部１５に出力される、対策指示値Ｐｒａによる指示は、例えば、映像のフレーム数を減少させ変化の度合いを減少させる方法、文字や音声により視聴者に注意を促す方法、別の映像や静止画像へと置換する方法、輝度や彩度等の値を減少させる方法等が考えられる。
【０２５８】
対策実行部１５は、対策制御値１４より出力される対策指示値Ｐｒａに基づいて分割された映像信号の領域毎に画像処理を行い、危険映像が人体に与える影響を、削減あるいは無効化する。なお、対策実行部１４が出力する分割された領域毎の制御値Ｃｒａに基づいて、対策実行部１５が画像全体の処理を行い、危険映像が人体に与える影響を、削除あるいは無効化するものであってもよい。
【０２５９】
対策指示値Ｐｒによる指示は、映像特徴から算出された制御信号としての制御値Ｃｒを考慮して作成するのが望ましい。たとえば、白黒画像が点滅するような映像である場合は、フレーム数を減少させ、変化の度合いを減少させる方法等が考えられる。一方、黄色や水色等の鮮やかな色合いが点滅するような映像である場合には、映像信号の彩度を減少させた後、フレーム数を減少させ、変化の度合いを減少させる方法等が考えられる。
【０２６０】
また、分割した映像信号毎に画像処理を行っている強みを生かして、映像信号の一部の領域のみを別の映像や静止画像へと置換する、輝度の彩度等の値を減少させる、という手法もとることができる。
【０２６１】
ここでＣｒａ（ｉ）に対応するＰｒａ（ｉ）は、すべて同じでもかまわないし、それぞれ異なっていてもかまわない。
【０２６２】
なお、実施の形態１，２で説明したように、映像信号Ｄｂａが危険映像ではない場合に、対策指示値Ｐｒａを出力する構成にしてもかまわない。この場合には、対策指示値Ｐｒは映像信号Ｄｂに関する対策が不要であることを意味する情報や、映像信号Ｄｂの変化が危険ではないことを意味する情報等を出力すればよい。映像信号Ｄｂａが危険映像ではない場合に、対策指示値Ｐｒａを出力しない構成も可能である。
【０２６３】
危険映像に対する画像処理は、画像処理を行わないフレームや領域があってもよい。例としては、フレーム数を減少させる場合等が考えられ、表示を行わないフレームが生じる反面、表示を行わないフレームの代わりに、静止画像として表示し続ける等の手法が考えられる。
【０２６４】
＜Ｃ−３．効果＞
この発明にかかる本実施の形態３によれば、画像表示装置において、映像信号対策部１６は、分割した領域ごとに、制御信号としての制御値Ｃｒａの解析結果に応じて映像信号に所定の処置を行うことで、分割された各々の領域に関する特徴を把握し、映像信号の領域毎に行う処置を変化させることができ、特定の領域のみに処理を行う等の、より柔軟な処置を行うことができる。また、複数の特徴の危険映像が含まれている場合に、それぞれに適した処理を、領域毎に行うことができる。
【０２６５】
本実施の形態３に係る画像表示装置は、映像信号から、危険映像を検出する手法として、映像表示装置に限らず映像に関わる他分野での利用も考えられる。他の分野での利用として、例えば、ハードディスクやＤＶＤ等の映像レコーダー等の映像記録装置が上げられる。
【０２６６】
なお、映像記録装置において、これらの応用を行った場合、リアルタイムに視聴する場合と異なり、予め解析を行っておくことにより、危険映像の検出までに要する数フレームが不要となり、より安全な映像を提供することができる。予め検出を行う場合には、危険映像に対する処置に関しても同様に、予め行っておくことができる。
【０２６７】
一方、本実施の形態と同様なことを、上述の特許文献２、特許文献３に記載の技術を用いて行うには、予め内容種が既知であるマルチメディアデータが保持されている必要がある。そのため、初見の番組等では分類を行うことができない。
【０２６８】
上述の特許文献２、特許文献３に記載の技術では、輝度信号、色相信号、色差信号における閾値のみで危険映像を一様に検出している。そのため、危険映像の特徴を得ることができず、特徴に合わせた処置を行うことができない。また、検出の精度が劣っており、詳細な検出を行うことができない。
【０２６９】
なお、本実施の形態３に係る画像表示装置では、ＨＳＶ色空間を例に危険映像を検出したが、たとえばＲＧＢ色空間、ＣＭＹ色空間、ＨＬＳ色空間、ＹＣｂＣｒ色空間、Ｌａｂ表色系、Ｌ＊ａ＊ｂ＊表色系、Ｌ＊ｕ＊ｖ＊表色系、等その他のあらゆる色空間や表色系に関しても適応することができる。
【図面の簡単な説明】
【０２７０】
【図１】本発明の実施の形態１に係る画像表示装置の構成を示すブロック図である。
【図２】本発明の実施の形態１に係る映像特徴検出部の構成を示すブロック図である。
【図３】本発明の実施の形態１に係る輝度ヒストグラム算出部で生成されるヒストグラムを示す図である。
【図４】本発明の実施の形態１に係る色ヒストグラム算出部で生成される色相ヒストグラムを示す図である。
【図５】本発明の実施の形態１に係る色ヒストグラム算出部で生成される色相ヒストグラムと閾値条件を示す図である。
【図６】本発明の実施の形態１に係る特徴判定部の動作を説明するための図である。
【図７】本発明の実施の形態１に係る映像変化検出部の動作を説明するための図である。
【図８】本発明の実施の形態１に係る映像変化検出部の動作を説明するための図である。
【図９】本発明の実施の形態１に係る映像変化検出部により出力される制御値の算出方法の一例を示す図である。
【図１０】本発明の実施の形態２に係る画像表示装置の構成を示すブロック図である。
【図１１】本発明の実施の形態２に係る領域分割映像特徴検出部の構成を示すブロック図である。
【図１２】本発明の実施の形態２に係る領域分割部により分割された映像信号の一例を示す図である。
【図１３】本発明の実施の形態２に係るヒストグラム算出域決定部により分割されたＨＳＶ色空間の一分割例を示す図である。
【図１４】本発明の実施の形態２に係るヒストグラム算出域決定部により分割されたＨＳＶ色空間の一分割例を示す図である。
【図１５】本発明の実施の形態２に係るヒストグラム算出部で生成される色ヒストグラムを示す図である。
【図１６】本発明の実施の形態２に係るヒストグラム算出部で生成される色ヒストグラムと閾値条件を示す図である。
【図１７】本発明の実施の形態２に係る特徴判定部の動作を説明するための図である。
【図１８】本発明の実施の形態２に係る領域分割映像変化検出部の動作を説明するための図である。
【図１９】本発明の実施の形態３に係る映像特徴検出部の構成を示すブロック図である。
【図２０】本発明の実施の形態３に係る領域分割映像変化検出部の動作を説明するための図である。
【図２１】本発明の実施の形態３に係る領域分割映像変化検出部の動作を説明するための図である。
【符号の説明】
【０２７１】
１  入力端子、２  受信部、３，１３，２３  画像処理装置、４，１４  対策制御部、５，１５  対策実行部、６，１６  映像信号対策部、７，１７９  映像特徴検出部、９  映像変化検出部、１０  表示部、１７  領域分割映像特徴検出部、１９，２９  領域分割映像変化検出部、７０  信号分配部、７１  輝度ヒストグラム算出部、７２  色ヒストグラム算出部、７３  輝度ヒストグラム解析部、７４  色ヒストグラム解析部、７５，１７５  特徴判断部、１７０  ヒストグラム算出域決定部、１７１  ヒストグラム算出部、１７３  ヒストグラム解析部、１７８  領域分割部。
【図１】
2010141548.tif 000003
【図２】
2010141548.tif 000004
【図３】
2010141548.tif 000005
【図４】
2010141548.tif 000006
【図５】
2010141548.tif 000007
【図６】
2010141548.tif 000008
【図７】
2010141548.tif 000009
【図８】
2010141548.tif 000010
【図９】
2010141548.tif 000011
【図１０】
2010141548.tif 000012
【図１１】
2010141548.tif 000013
【図１２】
2010141548.tif 000014
【図１３】
2010141548.tif 000015
【図１４】
2010141548.tif 000016
【図１５】
2010141548.tif 000017
【図１６】
2010141548.tif 000018
【図１７】
2010141548.tif 000019
【図１８】
2010141548.tif 000020
【図１９】
2010141548.tif 000021
【図２０】
2010141548.tif 000022
【図２１】
2010141548.tif 000023